(57)【要約】ＡＣ電源を介してデバイスへ電力を供給するための、ならびに、標準線間電圧以外の信号を供給するＡＣ電力回路上で、ＬＥＤベース光源の使用を容易にするための、方法および装置。１つの例においては、ＬＥＤベース光源は、従来の調光器（すなわち、「ＡＣ調光回路」）により制御されるＡＣ電力回路に結合することができる。従って、ＬＥＤベース光源は、従来のＡＣ調光デバイスおよび／またはＡＣ電力回路に存在する他の制御信号を用いる発光環境において、他の光源（例えば、白熱光）を便利に代替することができる。さらに他の態様において、ＬＥＤベース光源が生成する光に関連する１個または２個以上のパラメータ（例えば、強度、色、色温度、時間的特性など）を、従来のＡＣ調光器および／またはＡＣ電源回路に存在する他の信号の操作を介して、便利に制御することができる。
2005524960.tif 000002
【特許請求の範囲】
【請求項１】
少なくとも１個のＬＥＤ；および
前記少なくとも１個のＬＥＤに結合され、標準ＡＣ線間電圧とは異なる信号を提供する交流（ＡＣ）電源からの電力関連信号を受信するよう構成され、さらに、前記少なくとも１個のＬＥＤに対し、前記電力関連信号に基づいて電力を供給するよう構成された、少なくとも１個のコントローラ；
を含む、照明装置。
【請求項２】
ＡＣ電源が、（ＡＣ）調光回路である、請求項１に記載の装置。
【請求項３】
ＡＣ調光回路がユーザーインターフェイスにより制御されて電力関連信号を変化させ、ここで少なくとも１個のコントローラが、少なくとも１個のＬＥＤに対して、ユーザーインターフェイスの主要な動作範囲において本質的に不変の電力を供給するよう構成された、請求項２に記載の装置。
【請求項４】
ユーザーインターフェイスの動作が、電力関連信号のデューティサイクルを変化させ、ここで少なくとも１個のコントローラが、少なくとも１個のＬＥＤに対して、電力関連信号のデューティサイクルの変動にも関わらず、ユーザーインターフェイスの主要な動作範囲において本質的に不変の電力を供給するよう構成された、請求項３に記載の装置。
【請求項５】
少なくとも１個のコントローラが、
電力関連信号を受信し、整流した電力関連信号を供給するための整流器；
前記整流した電力関連信号をフィルターするためのローパスフィルタ；および
前記整流しフィルターされた電力関連信号に基づき、本質的に不変の電力を供給するためのＤＣ変換器；
を含む、請求項３に記載の装置。
【請求項６】
機械的および電気的に従来の白熱光ソケットに適合することにより、装置をＡＣ調光回路に結合するよう構成されたスクリュー式電源コネクタ、
をさらに含む、請求項３に記載の装置。
【請求項７】
スクリュー式電源コネクタに結合し、少なくとも１個のＬＥＤおよび少なくとも１個のコントローラを包含する、構造的に白熱光電球に似せて構成されたハウジング、
をさらに含む、請求項６に記載の装置。
【請求項８】
少なくとも１個のＬＥＤが、複数個の異なる色のＬＥＤを含む、請求項７に記載の装置。
【請求項９】
ＡＣ調光回路がユーザーインターフェイスにより制御されて電力関連信号を変化させ、ここで少なくとも１個のコントローラが、少なくとも１個のＬＥＤが生成する光の少なくとも１個のパラメータを、ユーザーインターフェイスの動作に応答して可変制御するよう構成された、請求項２に記載の装置。
【請求項１０】
ユーザーインターフェイスの動作が、電力関連信号のデューティサイクルを変化させ、ここで少なくとも１個のコントローラが、光の少なくとも１個のパラメータを、電力関連信号のデューティサイクルに少なくとも基づき可変制御するよう構成された、請求項９に記載の装置。
【請求項１１】
少なくとも１個のコントローラがユーザーインターフェイスの動作に応答して可変制御する光の、少なくとも１個のパラメータが、光の強度、光の色、光の色温度、および光の時間的特性のうちの少なくとも１つを含む、請求項９に記載の装置。
【請求項１２】
少なくとも１個のコントローラが、少なくとも１個のＬＥＤが生成する光の少なくとも２個の異なるパラメータを、ユーザーインターフェイスの動作に応答して可変制御するよう構成された、請求項９に記載の装置。
【請求項１３】
少なくとも１個のコントローラが、光の少なくとも強度および色を同時に、ユーザーインターフェイスの動作に応答して可変制御するよう構成された、請求項１２に記載の装置。
【請求項１４】
少なくとも１個のＬＥＤが、本質的に白色光を生成するよう構成され、ここで少なくとも１個のコントローラが、該白色光の少なくとも強度および色温度を同時に、ユーザーインターフェイスの動作に応答して可変制御するよう構成された、請求項１２に記載の装置。
【請求項１５】
少なくとも１個のコントローラが、本質的に白色光の少なくとも強度および色温度を、ユーザーインターフェイスの動作に応答して可変制御するよう構成されており、それによって白熱光源の発光特性を近似する、請求項１４に記載の装置。
【請求項１６】
少なくとも１個のコントローラが、本質的に白色光の色温度を、最小強度における約２０００°Ｋから最大強度における３２００°Ｋまでの範囲にわたって可変制御するよう構成された、請求項１５に記載の装置。
【請求項１７】
機械的および電気的に従来の白熱光ソケットに適合することにより、装置がＡＣ調光回路に結合するよう構成された、スクリュー式電源コネクタ、
をさらに含む、請求項１５に記載の装置。
【請求項１８】
スクリュー式電源コネクタに結合し、少なくとも１個のＬＥＤおよび少なくとも１個のコントローラを包含し、構造的に白熱光電球に似せて構成されたハウジング、
をさらに含む、請求項１７に記載の装置。
【請求項１９】
少なくとも１個のＬＥＤが、複数個の異なる色のＬＥＤを含む、請求項１５に記載の装置。
【請求項２０】
少なくとも１個のコントローラが、
少なくとも１個の光のパラメータを、変化する電力関連信号に基づき可変制御するための調節回路；および
少なくとも１個のＬＥＤに対し、変化する電力関連信号に基づき、少なくとも電力を供給するための電力回路；
を含む、請求項９に記載の装置。
【請求項２１】
電力回路が、
電力関連信号を受信し、整流した電力関連信号を供給するための整流器；
該整流した電力関連信号をフィルターするためのローパスフィルタ；および
該整流しフィルターした電力関連信号に基づき、少なくとも１個のＬＥＤに電力を供給するためのＤＣ変換器；
を含む、請求項２０に記載の装置。
【請求項２２】
調節回路が、ＤＣ変換器に結合され、整流しフィルターした電力関連信号に基づき、少なくとも１個のＬＥＤを可変制御するよう構成された、請求項２１に記載の装置。
【請求項２３】
調節回路が少なくとも１個のプロセッサを含み、該プロセッサは、電力関連信号、整流した電力関連信号、および整流しフィルターした電力関連信号のうち少なくとも１つを監視するよう構成され、それによって少なくとも１個のＬＥＤを可変制御する、請求項２３に記載の装置。
【請求項２４】
電力回路が、変化する電力関連信号に基づき、少なくとも１個のＬＥＤに少なくとも電力を、および少なくとも１個のプロセッサに電力を供給するよう構成された、請求項２３に記載の装置。
【請求項２５】
少なくとも１個のプロセッサが、変化する電力関連信号をサンプルし、変化する電力関連信号の変化する特性の少なくとも１つを決定するよう構成された、請求項２３に記載の装置。
【請求項２６】
ユーザーインターフェイスの動作が電力関連信号のデューティサイクルを変化させ、少なくとも１個のプロセッサが、光の少なくとも１個のパラメータを、少なくとも電力関連信号の変化するデューティサイクルに基づき可変制御するよう構成された、請求項２３に記載の装置。
【請求項２７】
少なくとも１個のＬＥＤが、複数個の異なる色のＬＥＤを含む、請求項２６に記載の装置。
【請求項２８】
複数個の異なる色のＬＥＤが、
第１スペクトルを有する少なくとも第１放射線を出力するよう適合された、少なくとも１個の第１ＬＥＤ；
第１スペクトルとは異なる第２スペクトルを有する第２放射線を出力するよう適合された、少なくとも１個の第２ＬＥＤ；および
少なくとも第１放射線の第１強度および第２放射線の第２強度を、ユーザーインターフェイスの動作に応答して独立して制御するよう構成された、少なくとも１個のプロセッサ；
を含む、請求項２７に記載の装置。
【請求項２９】
少なくとも１個のプロセッサが、パルス幅変調（ＰＷＭ）技法を実装するようプログラムされ、少なくとも第１放射線の第１強度および第２放射線の第２強度を制御する、請求項２８に記載の装置。
【請求項３０】
少なくとも１個のプロセッサがさらに、
少なくとも第１ＰＷＭ信号を生成して第１放射線の第１強度を制御し、第２ＰＷＭ信号を生成して第２放射線の第２強度を制御する；および
第１および第２ＰＷＭ信号それぞれのデューティサイクルを、ユーザーインターフェイスの動作による電力関連信号の変化に少なくとも部分的に基づいて決定する；
ようプログラムされた、
請求項２９に記載の装置。
【請求項３１】
調節回路が駆動回路を含み、該駆動回路は、少なくとも１個の電圧／電流変換器を含み、少なくとも１つの駆動電流を少なくとも１個のＬＥＤに対して提供し、それにより、生成された光の少なくとも１個のパラメータを制御する、請求項２０に記載の装置。
【請求項３２】
少なくとも１個の電圧／電流変換器がオペアンプを含み、該オペアンプは、少なくとも１個の電圧／電流変換器に適応された電圧が本質的にゼロの場合、動作中のその非反転および反転入力にわたって適用される所定の誤差電圧を、本質的にゼロの、前記少なくとも１個の電圧／電流変換器の電流出力に減少させるよう構成された、請求項３１に記載の装置。（？）
【請求項３３】
Ａ）標準ＡＣ線間電圧以外の信号を供給する交流（ＡＣ）電源からの電力関連信号に基づき、少なくとも１個のＬＥＤに電力を供給すること、
との行為を含む、照明方法。
【請求項３４】
行為Ａ）が、
交流（ＡＣ）調光回路からの電力関連信号に基づき、少なくとも１個のＬＥＤへ電力を供給すること、
との行為を含む、請求項３３に記載の方法。
【請求項３５】
ＡＣ調光回路がユーザーインターフェイスにより制御されて電力関連信号を変化させ、ここで行為Ａ）が、
Ｂ）本質的に不変の電力を、少なくとも１個のＬＥＤに対し、ユーザーインタフェイスの主要な範囲にわたって供給すること、
との行為を含む、請求項３４に記載の方法。
【請求項３６】
ユーザーインタフェイスの動作が電力関連信号のデューティサイクルを変化させ、また行為Ｂ）が、
電力関連信号のデューティサイクルの変化にも関わらず、本質的に不変の電力を、少なくとも１個のＬＥＤに対し、ユーザーインタフェイスの動作の主要な範囲にわたって提供すること、
との行為を含む、請求項３５に記載の方法。
【請求項３７】
行為Ｂ）が、
電力関連信号を整流し、整流した電力関連信号を提供すること；
該整流した電力関連信号をフィルターすること；および
該整流しフィルターした電力関連信号に基づき、本質的に不変の電力を提供すること；
との行為を含む、請求項３５に記載の方法。
【請求項３８】
少なくとも１個のＬＥＤが、複数個の異なる色のＬＥＤを含む、請求項３５に記載の方法。
【請求項３９】
ＡＣ調光回路がユーザーインターフェイスにより制御されて電力関連信号を変化させ、ここで行為Ａ）が、
Ｃ）少なくとも１個のＬＥＤが生成した光の少なくとも１個のパラメータを、ユーザーインタフェイスの動作に応答して、可変制御すること、
との行為を含む、請求項３４に記載の方法。
【請求項４０】
ユーザーインタフェイスの動作が電力関連信号のデューティサイクルを変化させ、ここで行為Ｃ）が、
Ｄ）光の少なくとも１個のパラメータを、電力関連信号の可変デューティサイクルに少なくとも基づき、可変制御すること、
との行為を含む、請求項３９に記載の方法。
【請求項４１】
行為Ｄ）が、
光の強度、光の色、光の色温度、および光の時間的特性のうちの少なくとも１つを、ユーザーインターフェイスの動作に応答して、可変制御すること、
との行為を含む、請求項３９に記載の方法。
【請求項４２】
行為Ｄ）が、
Ｅ）少なくとも１個のＬＥＤが生成した光の少なくとも２個の異なるパラメータを、ユーザーインターフェイスの動作に応答して、可変制御すること、
との行為を含む、請求項３９に記載の方法。
【請求項４３】
行為Ｅ）が、
ユーザーインターフェイスの動作に応答して、光の少なくとも強度および色を同時に可変制御すること、
との行為を含む、請求項４２に記載の方法。
【請求項４４】
少なくとも１個のＬＥＤが、本質的に白色光を生成するように構成されており、ここで行為Ｅ）が、
Ｆ）ユーザーインターフェイスの動作に応答して、白色光の少なくとも強度および色温度を同時に可変制御すること、
との行為を含む、請求項４２に記載の方法。
【請求項４５】
行為Ｆ）が、
Ｇ）ユーザーインターフェイスの動作に応答して、本質的に白色光の少なくとも強度および色温度を可変制御することにより、白熱光源の光生成特性を近似すること、
との行為を含む、請求項４４に記載の方法。
【請求項４６】
行為Ｇ）が、
本質的に白色光の色温度を、最少強度における約２０００°Ｋから最高強度における３２００°Ｋまでの範囲にわたり、可変制御すること、
との行為を含む、請求項４５に記載の方法。
【請求項４７】
少なくとも１個のＬＥＤが、複数個の異なる色のＬＥＤを含む、請求項４６に記載の方法。
【請求項４８】
行為Ｃ）が、
Ｈ）変化する電力関連信号をデジタル的にサンプルし、該変化する電力関連信号の少なくとも１つの変化する特性を決定すること、
との行為を含む、請求項３９に記載の方法。
【請求項４９】
ユーザーインタフェイスの動作が電力関連信号のデューティサイクルを変化させ、ここで行為Ｈ）が、
サンプルされた電力関連信号の変化するデューティサイクルに少なくとも基づき、光の少なくとも１個のパラメータを可変制御すること、
との行為を含む、請求項４８に記載の方法。
【請求項５０】
少なくとも１個のＬＥＤが、
少なくとも、第１スペクトルを有する第１放射線を出力するよう適合された、少なくとも１個の第１ＬＥＤ；および
第１スペクトルとは異なる第２スペクトルを有する第２放射線を出力するよう適合された、少なくとも１個の第２ＬＥＤ；
を含み、そして、行為Ｃ）が、
Ｉ）少なくとも第１放射線の第１強度および第２放射線の第２強度を、ユーザーインターフェイスの動作に応答して、独立して制御すること、
との行為を含む、請求項３９に記載の方法。
【請求項５１】
行為Ｉ）が、
Ｊ）パルス幅変調（ＰＷＭ）技法を実装し、少なくとも第１放射線の第１強度および第２放射線の第２強度を制御すること、
との行為を含む、請求項５０に記載の方法。
【請求項５２】
行為Ｊ）が、
少なくとも第１ＰＷＭ信号を生成して第１放射線の第１強度を制御し、第２ＰＷＭ信号を生成して第２放射線の第２強度を制御すること；および
第１および第２ＰＷＭ信号それぞれのデューティサイクルを、ユーザーインターフェイスの動作による電力関連信号の変化に少なくとも部分的に基づいて決定すること、
との行為を含む、請求項５１に記載の装置。
【請求項５３】
照明装置であって、
本質的に白色光を生成するよう適合された少なくとも１個のＬＥＤ；および
前記少なくとも１個のＬＥＤに結合され、交流（ＡＣ）調光回路からの電力関連信号を受信するよう構成され、該電力関連信号に基づき前記少なくとも１個のＬＥＤに電力を供給する、少なくとも１個のコントローラ；
を含み、ここで、
前記ＡＣ調光回路は、ユーザーインターフェイスにより制御されて電力関連信号を変化させ；および
前記少なくとも１個のコントローラは、本質的に白色光の少なくとも１個のパラメータを、ユーザーインターフェイスの動作に応答して可変制御することにより、白熱光源の発光特性を近似するよう構成されている、
前記装置。
【請求項５４】
ユーザーインターフェイスの動作が、電力関連信号のデューティサイクルを変化させ、ここで、少なくとも１個のコントローラが、本質的に白色光の少なくとも１個のパラメータを、少なくとも電力関連信号のデューティサイクルの変化に基づき、可変制御するよう構成されている、請求項５３に記載の装置。
【請求項５５】
機械的および電気的に従来の白熱光ソケットに適合することにより、装置をＡＣ調光回路に結合するよう構成された、スクリュー式電源コネクタ；および
該スクリュー式電源コネクタに結合し、少なくとも１個のＬＥＤおよび少なくとも１個のコントローラを包含し、構造的に白熱光電球に似せて構成されたハウジング；
をさらに含む、請求項５４に記載の装置。
【請求項５６】
少なくとも１個のコントローラが、本質的に白色光の少なくとも強度および色温度を同時に、ユーザーインターフェイスの動作に応答して可変制御するよう構成された、請求項５４に記載の装置。
【請求項５７】
少なくとも１個のコントローラが、本質的に白色光の色温度を、最小強度における約２０００°Ｋから最大強度における３２００°Ｋまでの範囲にわたって可変制御するよう構成された、請求項５６に記載の装置。
【請求項５８】
少なくとも１個のＬＥＤが、複数個の異なる色のＬＥＤを含む、請求項５７に記載の装置。
【請求項５９】
複数個の異なる色のＬＥＤが、
第１スペクトルを有する少なくとも第１放射線を出力するよう適合された、少なくとも１個の第１ＬＥＤ；
第１スペクトルとは異なる第２スペクトルを有する第２放射線を出力するよう適合された、少なくとも１個の第２ＬＥＤ；
を含み、そして、
少なくとも１個のコントローラが、少なくとも第１放射線の第１強度および第２放射線の第２強度を、ユーザーインターフェイスの動作に応答して、独立して制御するよう構成された、
請求項５８に記載の装置。
【請求項６０】
少なくとも１個のコントローラが、少なくとも第１放射線の第１強度および第２放射線の第２強度を制御するためにパルス幅変調（ＰＷＭ）技法を実装するようプログラムされた、少なくとも１個のマイクロプロセッサを含む、請求項５９に記載の装置。
【請求項６１】
マイクロプロセッサがさらに、
少なくとも第１ＰＷＭ信号を生成して第１放射線の第１強度を制御し、第２ＰＷＭ信号を生成して第２放射線の第２強度を制御する；および
第１および第２ＰＷＭ信号それぞれのデューティサイクルを、ユーザーインターフェイスの動作による電力関連信号の変化に少なくとも部分的に基づいて決定する、
ようにプログラムされた、
請求項６０に記載の装置。
【請求項６２】
マイクロプロセッサがさらに、電力関連信号の変化を代表する少なくとも１つの信号を監視するようにプログラムされた、請求項６１に記載の装置。
【請求項６３】
マイクロプロセッサがさらに、電力関連信号の変化を測定するために、電力関連信号を直接サンプルするようにプログラムされた、請求項６１に記載の装置。
【発明の詳細な説明】
【発明の詳細な説明】
【０００１】
優先権の主張
本出願は、米国仮出願第60/379,079号、２００２年５月９日出願の”Systems and Methods for Controlling LED Based Lighting”、および米国仮出願第60/391,627号、２００２年６月２６日出願の”Switched Current Sink”の優先権を主張するものである。
【０００２】
発明分野
本発明は一般に、ＡＣ電力回路のデバイスへ電力を供給するための方法および装置を目的としている。より特に、本発明は、主として照明目的のための発光ダイオード（ＬＥＤ）ベースデバイス（LED based device）に対し、電力を供給するための方法および装置に関する。
【０００３】
発明背景
種々の発光用途（lighting application）（例えば、家庭用、商業用、産業用など）において、１つまたは２つ以上の従来の光源（例えば、白熱電球、蛍光照明器具など）が生成する光の量を調節することが望ましい場合がある。多くの場合、これは、一般に「調光器（dimmer）」と呼ばれ、光源に供給する電力を調節する、ユーザーが操作するデバイスにより達成される。多くの型の従来の調光器が知られており、ある種のユーザーインターフェイス（例えば、ノブを回す、スライダーを動かすなど；これらは、光レベルの調節が望まれる領域近くの壁に取り付けられることが多い）を介して、ユーザーが１つまたは２つ以上の光源の光の出力を調節することを可能にする。ある調光器のユーザーインターフェイスは、１つまたは２つ以上の光源のスイッチを瞬時にオンもしくはオフにしたり、また、スイッチをオンにした場合にその光の出力を徐々に変化させたりする、スイッチ／調節機構を装備することができる。
【０００４】
一般の内部照明または外部照明のための多くの発光システムは、ＡＣ電源、一般に「線間電圧（line voltage）」（例えば６０Ｈｚで１２０ＶのＲＭＳ、５０Ｈｚで２２０ＶのＲＭＳ）と呼ばれる電源により電力を供給される。従来のＡＣ調光器は典型的には線間電圧を入力として受信し、そして、ユーザーの調光器の操作に応答して出力信号の平均電圧（従ってＡＣ出力信号が電力を送達する能力）を調節する効果を持つ１個または２個以上の可変パラメータを有するＡＣ信号出力を供給する。この調光器出力信号は、例えば調光器出力に結合する従来のソケットまたは器具に搭載された１つまたは２つ以上の光源に適用される（かかるソケットまたは器具は、「調光回路」上にあると言及される場合もある）。
【０００５】
従来のＡＣ調光器は、１つまたは２つ以上の光源に供給された電力を、数種類の異なる方法のうちの１つにより制御するよう、構成することができる。例えば、１つの実現形態によれば、ユーザーインターフェイスの調節により、ＡＣ調光器出力信号の電圧振幅を増加または減少させる。しかしより一般的には、他の実現形態において、ユーザーインターフェイスを調節することで、ＡＣ調光器出力信号のデューティサイクルの調節がもたらされる（例えば、ＡＣ電圧周期を部分的に「切り取る（chopping out）」ことにより）。この技法は、「位相角変調（angle modulation）」（出力信号の調節可能な位相角に基づく）と呼ばれる場合がある。おそらく最も一般的に使用されるこの型の調光器はトライアックを用いており、該トライアックは、選択的に動作して、ＡＣ電圧の半周期の上昇部分（すなわち、ゼロ交差後でピーク前）を切り取ることにより、調光器出力信号のデューティサイクルを調節する（すなわち、位相角を変調する）。デューティサイクルを調節する他の型の調光器は、選択的に動作して、ＡＣ電圧の半周期の下降部分（すなわち、ピーク後でゼロ交差前）を切り取る、ゲートターンオフ（ＧＴＯ）サイリスタを用いることもできる。
【０００６】
図１は、いくつかのＡＣ調光器の従来例を概略的に図示したものである。特に図１は、１つまたは２つ以上の従来の光源に電力を供給可能なＡＣ電圧波形３０２（例えば、標準線間電圧を示す）の例を示す。図１はまた、ユーザーインターフェイス３０５に応答する一般的なＡＣ調光器３０４を示す。第１の従来例においては、調光器３０４は波形３０８を出力するよう構成され、ここで調光器出力信号の振幅３０７は、ユーザーインターフェイス３０５を介して調節することができる。第２の従来例においては、調光器３０４は波形３０９を出力するよう構成され、波形３０９のデューティサイクル３０６は、ユーザーインターフェイス３０５を介して調節することができる。
【０００７】
上で述べたように、前述の技法は両方とも、光源（単数または複数）にかけられた平均電圧を調節する効果を有し、それによって光源（単数または複数）が生成する光の強度を調節する。白熱光電源はこのタイプの操作に特に適しており、なぜならば、フィラメントをどちらの方向であれ電流が流れれば光を生成するからである；電源にかけられるＡＣ信号の平均電圧を調節すると（例えば、電圧振幅またはデューティサイクルの調節によって）、光源（単数または複数）へ移送される電流（従って電力）もまた変化し、対応する光の出力も変化する。デューティサイクル技法に関しては、白熱光電源のフィラメントは熱慣性を有し、電圧が中断された短期間の間でも発光は完全には止まらない。従って、人の目で認識される生成された光は、電圧が「止められた」場合にも点滅するようには見えず、むしろ次第に変化するように見える。
【０００８】
概要
本発明は一般に、ＡＣ電源のデバイスへ電力を供給するための方法および装置を目的としている。より特に、本発明の種々の実施態様による方法および装置は、標準線間電圧または標準線間電圧以外の信号のどちらかを提供するＡＣ電力回路での、ＬＥＤベース光源の使用を容易にする。
【０００９】
１つの実施態様によれば、本発明の方法および装置は、特に、従来の調光器（すなわち、「ＡＣ調光回路」）によって制御されるＡＣ電力回路でのＬＥＤベース光源の使用を容易にする。１つの態様においては、本発明の方法および装置は、ＡＣ調光デバイスおよび従来の光源を用いた発光環境において、ＬＥＤベース光源が便利な代替品となることを容易にする。さらに他の態様においては、本発明の方法および装置は、ＬＥＤベース光源が生成する光に関連する１個または２個以上のパラメータ（例えば、強度、色、色温度、および時間的特性など）の制御を、従来のＡＣ調光器および／またＡＣ電力回路上に存在する他の信号の操作を介して容易にする。
【００１０】
より一般的に、本発明の１つの実施態様は、少なくとも１個のＬＥＤおよび、該少なくとも１個のＬＥＤに結合する少なくとも１個のコントローラを含む、照明器具を目的としている。前記コントローラは、標準ＡＣ線間電圧以外の信号を供給するＡＣ電源からの電力関連信号を受信するよう構成される。コントローラはさらに、電力関連信号に基づき少なくとも１個のＬＥＤに電力を供給するよう、構成される。
【００１１】
本発明の他の実施態様は、標準ＡＣ線間電圧以外の信号を供給するＡＣ電源からの電力関連信号に基づき、少なくとも１個のＬＥＤに電力を供給する行為を含む、照明方法を目的としている。
本発明の他の実施態様は、少なくとも１個のＬＥＤ、および、該少なくとも１個のＬＥＤに結合され、交流（ＡＣ）調光回路からの電力関連信号を受信するよう構成され、該電力関連信号に基づき前記少なくとも１個のＬＥＤに電力を供給する、少なくとも１個のコントローラを含む、照明装置を目的としている。
【００１２】
本発明の他の実施態様は、交流（ＡＣ）調光回路からの電力関連信号に基づき少なくとも１個のＬＥＤに電力を供給する行為を含む、照明方法を目的としている。
本発明の他の実施態様は、本質的に白色光を生成するよう適合された少なくとも１個のＬＥＤ、および、該少なくとも１個のＬＥＤに結合され、交流（ＡＣ）調光回路からの電力関連信号を受信するよう構成され、該電力関連信号に基づき前記少なくとも１個のＬＥＤに電力を供給する、少なくとも１個のコントローラを含む、照明装置を目的としている。ＡＣ調光回路は、ユーザーインターフェイスにより制御されて電力関連信号を変化させる。コントローラは、本質的に白色光の少なくとも１個のパラメータを、ユーザーインターフェイスの動作に応答して可変制御し、白熱光源の生成特性を近似するよう、構成される。
【００１３】
本発明の他の実施態様は、少なくとも１個のＬＥＤ、電源コネクタ、および、電源コネクタに関連し、電源コネクタが受信したＡＣ調光回路電力を変換して変換電力を形成するよう適合された電力変換装置を含む、発光システムを目的としている。該システムはまた、少なくとも１個のＬＥＤに供給された電力を調節するよう適合された、電力変換装置に関連する調節回路を含む。
本発明の他の実施態様は、ＡＣ調光回路を設けるステップ、ＬＥＤ発光システムをＡＣ調光回路に接続するステップ、ＡＣ調光回路を活性化することによりＬＥＤ発光システムから光を生成するステップ、そしてＡＣ調光回路を調節することにより、ＬＥＤ発光システムが生成した光を調節するステップを含む、照明を提供する方法を目的としている。
【００１４】
本発明の他の実施態様は、ＡＣ線間電圧を介して電力を供給される少なくとも１個のデバイスを制御するための方法を目的としている。該方法は、ＡＣ線間電圧に基づき電力信号を生成する行為を含み、ここで該電力信号は、少なくとも１個のデバイスに本質的に一定の電力を供給し、該少なくとも１個のデバイスに対する制御情報を伝達する少なくとも１個の通信チャネルを含み、該少なくとも１個の通信チャネルはＡＣ線間電圧のある周期の間、デューティサイクルの一部を占有する。
【００１５】
本発明の他の実施態様は、ＡＣ線間電圧を介して電力を供給される、少なくとも１個のデバイスを制御するための装置を目的としている。該装置は、ＡＣ線間電圧に基づき電力信号を生成するよう構成された供給電圧コントローラを含み、ここで該電力信号は、少なくとも１個のデバイスに本質的に一定の電力を供給し、該少なくとも１個のデバイスに対する制御情報を伝達する少なくとも１個の通信チャネルを含み、該少なくとも１個の通信チャネルは、ＡＣ線間電圧のある周期の間、デューティサイクルの一部を占有する。本実施態様の１観点においては、供給電圧コントローラは、少なくとも１個の通信チャネルにおいて可変制御情報を供給するための少なくとも１個のユーザーインターフェイスを含む。
【００１６】
本開示を目的として、本明細書で使用するときには、「ＬＥＤ」の用語は、電気信号に応答して放射を生成することのできる、任意の電子発光ダイオードまたはその他の種類のキャリア注入／接合ベースシステムを含むものと理解すべきである。すなわち、用語ＬＥＤは、それに限定はされないが、電流に応答して発光する種々の半導体ベース構造、発光ポリマー、エレクトロルミネセンスストリップ、その他を含む。
【００１７】
特に、ＬＥＤの用語は、赤外スペクトル、紫外スペクトル、および種々の部分の可視スペクトル（一般に、約４００ナノメートルから約７００ナノメートルまでの放射波長を含む）の、１つまたは２つ以上において放射を生成するように構成可能な、すべての種類の発光ダイオード（半導体および有機発光ダイオードを含む）を指すものである。ＬＥＤのいくつかの例としては、それに限定はされないが、様々な種類の赤外ＬＥＤ、紫外ＬＥＤ、赤色ＬＥＤ、青色ＬＥＤ、緑色ＬＥＤ、黄色ＬＥＤ、琥珀色ＬＥＤ、オレンジ色ＬＥＤ、および白色ＬＥＤ（以下に詳細に述べる）が挙げられる。ＬＥＤは、所与のスペクトルに対して、様々な帯域幅（例えば、狭帯域、広帯域）を有する放射を生成するように構成できることも理解すべきである。
【００１８】
例えば、本質的に白色光を生成するように構成されたＬＥＤ（例えば、白色ＬＥＤ）の１つの実装にはある数のダイを含めてもよく、これらのダイはそれぞれが、組み合わせて混合すると本質的に白色光を形成する異なるスペクトルのエレクトロルミネセンスを放射する。別の実現形態においては、白色光ＬＥＤを、第１のスペクトルを有するエレクトロルミネセンスを異なる第２のスペクトルに変換するリン材料と関連させることができる。このような実現形態の一例においては、比較的短い波長と狭帯域スペクトルとを有するエレクトロルミネセンスが、リン材料を“励起して（pump）”、このリン材料が、いくぶん広いスペクトルを有する、より長い波長の放射線を放射する。
【００１９】
用語ＬＥＤは、ＬＥＤの物理的および／または電気的パッケージタイプを限定しないことも理解すべきである。例えば、上述のように、ＬＥＤは、それぞれが異なるスペクトルの放射線（例えば、個別に制御可能であるか、あるいは可能でない）を放出するよう構成された複数のダイを有する単一の発光デバイスを指すことがある。また、ＬＥＤは、そのＬＥＤ（例えば、ある種の白色ＬＥＤ）の一体部分とみなすことのできるリンと関連させることができる。一般的には、ＬＥＤの用語は、パッケージＬＥＤ、非パッケージＬＥＤ、表面実装ＬＥＤ、チップ・オン・ボードＬＥＤ、Ｔパッケージ実装ＬＥＤ、ラジアルパッケージＬＥＤ、パワーパッケージＬＥＤ、ある種の容器および／または光学素子（例えば、拡散レンズ）などを含むＬＥＤを指している。
【００２０】
「光源（light source）」という用語は、種々の放射線源の、任意の１種または２種以上を指すものと理解すべきであり、そのような放射線源としては、それに限定はされないが、上述のＬＥＤベース光源（１種または２種以上の上に定義のＬＥＤを用いたもの）、白熱光源（例えば、フィラメントランプ、ハロゲンランプ）、蛍光源、リン光源、高輝度放電源（例えば、ナトリウムランプ、水銀ランプ、およびメタルハライドランプ）、レーザー類、その他の種類のエレクトロルミネセンス源、パイロルミネセンス源（例えば、火炎）、キャンドルルミネセンス源（例えば、ガスマントル、カーボンアーク放射源）、ホトルミネセンス源（例えば、ガス状放電源）、電子飽和を使用する陰極ルミネセンス源、電流ルミネセンス源（galvano-luminescent sources）、結晶ルミネセンス源、キネルミネセンス源（kine-luminescent sources）、熱ルミネセンス源、トリボルミネセンス源、ソノルミネセンス源（sonoluminescent sources）、放射ルミネセンス源、およびルミネセンスポリマーが挙げられる。
【００２１】
任意の光源を、可視スペクトル内、可視スペクトル外、またはその両者の組み合わせにおいて、電磁放射線を生成するように構成することができる。従って「光（light）」および「放射線（radiation）」の用語は、本明細書においては同義で使用する。さらに、光源（light source）には、１個または２個以上のフィルタ（例えば、色フィルタ）、レンズ、またはその他の光学構成要素を、一体構成要素として含めることができる。また、光源は、それに限定はされないが、表示および／または照明を含む、種々の応用に合わせて構成することができることを理解すべきである。「照明源（illumination source）」とは、内部空間または外部空間を効果的に照明するのに十分な強度を有する放射線を生成するように、特に構成された光源である。
【００２２】
用語「スペクトル」は、１つまたは２つ以上の光源によって生成される放射の、任意の１つまたは２つ以上の周波数（または波長）を意味すると理解すべきである。従って、用語「スペクトル」は、可視領域の周波数（または波長）だけでなく、赤外領域、紫外領域、およびその他の領域の全電磁スペクトルの周波数（または波長）を意味する。また、ある特定のスペクトルは、比較的狭い帯域（本質的に少ない周波数または波長成分）または比較的広い帯域（種々の相対強度を有する幾つかの周波数または波長成分）を有することができる。また、ある特定のスペクトルは、２つまたは３つ以上の他のスペクトルの混合（例えば、それぞれ複数の光源から放射される放射の混合）の結果であり得ることも認識すべきである。
【００２３】
本開示の目的に対しては、用語「色」は、用語「スペクトル」と同義で使用する。しかしながら、用語「色」は、一般には、基本的に観察者が知覚可能な放射の特性を指して使用する（但し、このような使用は、この用語の範囲を限定することを意図するものではない）。従って、用語「異なる色」は、異なる波長成分および／または帯域幅を有する、複数のスペクトルを暗に意味する。また、用語「色」は、白色光および非白色光の両方に関係して使用できることを認識すべきである。
【００２４】
用語「色温度」は、本明細書においては、一般に、白色光と関係して使用するが、このような用法は、この用語の範囲を限定することを意図するものではない。色温度は、本質的には、白色光の特定の色成分または濃淡（例えば、赤みがかった、青みがかった）を意味する。ある特定の放射サンプルの色温度は、従来方法によると、問題の放射サンプルと本質的に同一のスペクトルを放射する黒体放射体の、ケルビン絶対温度（°Ｋ）によって特性が表される。一般に、白色光の色温度は、約７００°Ｋ（一般に人の眼に見える最初と考えられる）から１０，０００°Ｋを超えるまでの範囲に入る。
【００２５】
低い色温度は、一般的に、赤色成分の強い、または“暖かい雰囲気”の白色光を示し、一方、高い色温度は、一般的に、青色成分の強い、または“冷たい雰囲気”の白色光を示す。例として、火の色温度は、約１，８００°Ｋであり、従来型の白熱電球の色温度は約２８４８°Ｋ、早朝の日光の色温度は約３，０００°Ｋ、また曇った昼間の空の色温度は約１０，０００°Ｋである。色温度が約３，０００°Ｋの白色光の下で見る色彩画像は、比較的赤みがかった色調を有するが、それに対して色温度が約１０，０００°Ｋの白色光の下で見る同じ色彩画像は、比較的青みがかった色調を有する。
【００２６】
「発光ユニット（lighting unit）」および「発光器具（lighting fixture）」という用語は、本明細書においては同義で使用し、同種または異種の１つまたは２つ以上の光源を含む装置を意味する。ある特定の発光ユニットは、光源（単数または複数）用の取付具の配置、筐体／ハウジングの配置および形状、および／または電気的または機械的な接続形態の、様々な種類の任意の１つを有することができる。さらに、ある特定の発光ユニットは、光源（単数または複数）の動作と関係する他の種々の構成要素（例えば、制御回路）に、随意に関連づける（例えば、含める、結合する、および／または一緒にパッケージする）ことができる。「ＬＥＤベース発光ユニット（LED-based lighting unit）」とは、上述したような、１つまたは２つ以上のＬＥＤベース光源を、単独またはその他の非ＬＥＤベース光源との組み合わせで含む、発光ユニットを意味する。
【００２７】
用語「プロセッサ」または「コントローラ」は、本明細書においては同義で使用し、１つまたは２つ以上の光源の動作に関係する、種々の装置を表す。プロセッサまたはコントローラは、多くの方法で実現することが可能であり、例えば、ソフトウエア（例えば、マイクロコード）を使用して本明細書で述べた様々な機能を実行するようにプログラムされた１個または２個以上のマイクロプロセッサを使用する、専用ハードウエアによる方法、あるいは、いくつかの機能を実行する専用ハードウエアと、その他の機能を実行するようにプログラムされたマイクロプロセッサおよび関連する回路とを組み合わせる方法などである。
【００２８】
種々の実現形態において、プロセッサまたはコントローラは、１つまたは２つ以上の記憶媒体（本明細書においては、総称的に「メモリ」と呼ぶ、例えば、ＲＡＭ、ＰＲＯＭ、ＥＰＲＯＭ、およびＥＥＰＲＯＭ、フロッピー（登録商標）ディスク、コンパクトディスク、光ディスク、磁気テープなどの、揮発性および不揮発性コンピュータメモリ）と関連づけることができる。いくつかの実現形態においては、記憶媒体に、１つまたは２つ以上のプログラムを符号化して、このプログラムが、１個または２個以上のプロセッサおよび／またはコントローラ上で実行されると、本明細書で述べた機能の少なくともいくつかを実行するようにすることができる。本明細書で述べた本発明の様々な観点を実現するように、様々な記憶媒体は、プロセッサまたはコントローラ内に固定してもよく、または可搬型として、そこに記憶された１つまたは２つ以上のプログラムをプロセッサまたはコントローラ中にロードしてもよい。用語「プログラム」または「コンピュータプログラム」は、本明細書においては、一般的な意味で、１個または２個以上のプロセッサまたはコントローラをプログラムするのに使用することができる、任意の種類のコンピュータコード（例えば、ソフトウエアまたはマイクロコード）を意味して使用する。
【００２９】
用語「アドレス指定可能（addressable）」は、本明細書においては、それ自体を含む複数のデバイス用の情報（例えば、データ）を受け取り、それに対する特定の情報に選択的に応答するように構成された、デバイス（例えば、光源一般、発光ユニットまたは発光器具、１つまたは２つ以上の光源または発光ユニットに関連するコントローラまたはプロセッサ、その他の非発光関係デバイス、その他）を意味して用いられる。用語「アドレス指定可能」は、ネットワーク化環境（または、以下にさらに記載する、「ネットワーク」）と関係して頻繁に使用され、このネットワーク化環境では、複数デバイスが、なんらかの通信媒体（単数または複数）を介して互いに結合されている。
【００３０】
１つのネットワーク実現形態においては、ネットワークに結合された１個または２個以上のデバイスが、ネットワークに（例えば、マスター／スレーブ関係で）結合された１個または２個以上のその他のデバイス用のコントローラとしての役割を果たすことができる。別の実現形態においては、ネットワーク化環境には、ネットワークに結合されたデバイスの１個または２個以上を制御するように構成された、１個または２個以上の専用コントローラを含むことができる。一般に、ネットワークに結合された複数のデバイスは、それぞれ、通信媒体（単数または複数）上にあるデータにアクセスすることができるが、ある特定のデバイスは、例えばそれに割り当てられた１つまたは２つ以上の特定の識別子（例えば、「アドレス」）に基づいて、ネットワークとデータを選択的に交換する（すなわち、それからデータを受信し、かつ／またはそれにデータを送信する）ように構成することにおいて、「アドレス指定可能」にすることができる。
【００３１】
本明細書において使用する、用語「ネットワーク」は、ネットワークに結合された任意の２個または３個以上のデバイス間、および／または複数のデバイスの間での（例えば、デバイス制御、データ記憶、データ交換などのための）情報の移送を容易にする、２個または３個以上のデバイス（コントローラまたはプロセッサを含む）の任意の相互接続を意味する。ただちに認識すべきこととして、複数デバイスを相互接続するのに適するネットワークの様々な実現形態には、様々なネットワークトポロジーの任意のものを含めるとともに、様々な通信プロトコルの任意のものを使用することができる。さらに、本発明による様々なネットワークにおいて、２個のデバイス間の任意の１つの接続は、その２つのシステム間の、専用の接続、またはその代わりに非専用接続を表すことができる。２個のデバイスのための情報を運ぶことに加えて、そのような非専用接続は、その２個のデバイスのいずれかに必ずしも指定されていない情報を運ぶことができる（例えば、オープンネットワーク接続）。さらに、本明細書で述べる、デバイスの様々なネットワークは、１つまたは２つ以上の無線、有線／ケーブル、および／または光ファイバリンクを使用して、ネットワーク全体の情報移動を容易にすることができることを容易に認識すべきである。
【００３２】
本明細書において使用する場合には、用語「ユーザーインターフェイス」は、ユーザーとデバイス（単数または複数）との間の通信を可能にする、人のユーザーまたはオペレータと、１個または２個以上のデバイスとの間のインターフェイスを意味する。本発明の様々な実現形態において使用することのできるユーザーインターフェイスの例としては、それに限定はされないが、スイッチ、ポテンショメータ、ボタン、ダイアル、スライダ、マウス、キーボード、キーパッド、様々な種類のゲームコントローラ（例えば、ジョイスティック）、トラックボール、ディスプレイスクリーン、様々な種類のグラフィカルユーザーインターフェイス（ＧＵＩ）、タッチスクリーン、マイクロホン、および、人が生成する何らかの形態の刺激を受け取り、それに応じた信号を生成するその他の種類のセンサがある。
【００３３】
前述の概念と以下に記載する付加的な概念の全ての組合せは、本明細書に開示される発明の主題の一部として意図されたものであることを理解すべきである。特に、本開示の初めに示すクレームされた対象の全ての組合せは、本発明の主題の一部として意図されている。
【００３４】
図の簡単な説明
以下の図は、本発明のある図示的な実施態様を示し、これらの図中、同一の参照番号は同一の要素を示す。これら図示された実施態様は、本発明の図示であり、どのような方法であれ限定するものではないことが理解される。
図１は、従来のＡＣ調光デバイスの例示的な動作を示す。
図２は、ＡＣ線間電圧からＬＥＤベース光源へ電力を供給するための従来の実装である。
図３は、本発明の１態様による、ＬＥＤベース光源を含む発光ユニットである。
図４は、本発明の１態様による、図３の発光ユニットの種々の構成要素を示す回路図である。
図５は、本発明の他の態様による、ＬＥＤベース光源を含む発光ユニットである。
図６は、本発明の１態様による、図５の発光ユニットの種々の構成要素を示す回路図である。
図７は、本発明の他の態様による、ＬＥＤベース光源を含むプロセッサベース発光ユニットのブロック図である。
図８は、図７の発光ユニットのための電力回路の種々の構成要素を示す回路図である。
図９は、本発明の１態様による、ＬＥＤベース光源のための駆動回路に用いられた従来の電流シンクを示す回路図である。
図１０は、本発明の１態様による、改善された電流シンクを示す回路図である。
図１１は、本発明の他の態様による、改善された電流シンクを示す回路図である。
【００３５】
発明の詳細な説明
１．概要
発光ダイオード（ＬＥＤ）ベース照明源は、一般の、タスクの、アクセントの、またはその他の発光が所望される場合の用途において、より普及が進んでいる。ＬＥＤの効率、高強度、低コスト、および高レベルの制御性は、ＬＥＤベース光源を従来の非ＬＥＤベース光源の代替品とする推進力となっている。
【００３６】
上述の従来のＡＣ調光デバイスが、ＡＣ電源を使用する白熱光などの従来光源を制御するのに多く用いられる一方で、本出願人は、一般にかかる調光器は、ＬＥＤベース光源などの固体光源と共に用いるのには満足できないことを認識し、理解していた。すなわち、本出願人は、実質的にＤＣ電源に基づき作動するＬＥＤベース光源は、一般にＡＣ出力信号を供給する調光回路に適合していないことを確認した。この状況は、従来の光源をＡＣ調光回路を介して作動させる既存の発光システムにおいて、ＬＥＤベース光源を簡便に代用することを妨げている。
【００３７】
ＬＥＤベース光源にＡＣ線間電圧を介して電力を供給するための解決方法は現在も存在するが、これらの解決方法は、ＡＣ調光回路に適用された場合、重大な欠点を有する。図２は、かかる一般化されたシナリオの１つを図示したものであり、ここで、標準ＡＣ線間電圧３０２（例えば、１２０Ｖｒｍｓ、２２０Ｖｒｍｓなど）が、ＬＥＤベース発光システム、例えば信号機８０８（信号機は、赤１個、黄１個および緑１個の、３個のＬＥＤアレーのモジュールおよび関連する回路を含む）などに電力を供給するのに用いられる。図２の配置において、全波整流器８０２はキャパシタ８００および８０６、ならびに抵抗器８０４と共に、適用されたＡＣ線間電圧をフィルターして、実質的なＤＣ電源を信号機８０８に供給する。特に、キャパシタ８００は、主としてＡＣ線間電圧（例えば６０Ｈｚ）の予想される周波数に基づきエネルギーを信号機へと伝達するよう、他の回路構成要素に依存して具体的に選択することができる。
図２に示す配置において、適用されたＡＣ信号が線間電圧としてではなく、調光回路によって適用された場合の１つの問題点は、適用された信号が、この回路がそれに基づいて設計されている線間電圧の周波数から大きく異なる周波数成分を含む可能性があることである。例えば、図１に示すような、デューティサイクル制御の（すなわち、位相角変調された）ＡＣ信号３０９を供給する調光回路を考える；電圧周期の一部の「切り取り（chopping off）」による突然の信号エクスカーション（excursion）の効力により、この種類の信号は通常の線間電圧に比べて非常に高い周波数成分を含む。もしかかる位相角変調されたＡＣ信号が図２の配置に適用されると、キャパシタ８００は、これらの高い周波数成分に関連する過剰なエネルギーが信号機を通ることを許容し、多くの場合光源に致命的な損傷を引き起こす。
【００３８】
前述のことを考慮して、本発明の１つの実施態様は一般に、標準線間電圧を供給するかまたは従来の調光器（すなわち、「ＡＣ調光回路」）により制御されるＡＣ電力回路上での、ＬＥＤベース光源の使用を容易にするための方法および装置を目的としている。１つの態様において、本発明の方法および装置は、従来の調光デバイスおよび従来の光源を用いる発光環境において、ＬＥＤベース光源を便利な代替物とすることを容易にする。さらに他の態様においては、本発明による方法および装置は、ＬＥＤベース光源が生成する光に関連する１個または２個以上のパラメータ（例えば、強度、色、色温度、時間的特性など）の、従来の調光器の動作を介しての制御、および／またはＡＣ線間電圧に関連して存在可能な他の制御信号を介しての制御を容易にする。
【００３９】
本発明の原理に基づく種々の概念を用いた発光ユニットおよびシステムは、居住環境、商業環境、産業環境または従来の調光器が見出されるかまたは所望される任意の他の環境において用いることができる。さらに、本明細書に開示される種々の概念は、本発明による発光ユニットに適用することができ、ＡＣ電力回路を介した種々の制御信号を供給する様々な発光制御プロトコルに対する発光ユニットの互換性を保証する。
【００４０】
かかる制御プロトコルの１例はＸ１０通信言語であり、Ｘ１０通信言語は、家庭の既存の電線（例えば、標準ＡＣ線間電圧を供給する配線）を介して、Ｘ１０互換製品間での相互の通信を可能にする。典型的なＸ１０実装においては、制御すべき機器（例えば、光、サーモスタット、ジャグジー／温水浴槽など）をＸ１０受信機に接続し、該受信機はＡＣ線間電圧に結合する従来のコンセントに接続する。制御すべき機器には、特定のアドレスを割り当てることができる。Ｘ１０送信機／コントローラは、線間電圧に結合する他のコンセントに接続され、そして、線間電圧を供給する同じ配線を介して、少なくとも部分的に割り当てアドレス（単数または複数）に基づき、１個または２個以上のＸ１０受信機に対して制御命令（例えば、オン、オフ、薄暗くする、明るくする、など）を通信する（Ｘ１０実装についてのさらなる情報は、ウェブサイトwww.smarthome.comに見出すことができる）。１つの実施態様によれば、本発明の方法および装置は、種々のＬＥＤベース光源と、Ｘ１０、および、ＡＣ線間電圧に関連する制御情報を通信する他の通信プロトコルを有する発光ユニットとの互換性を容易にする。
【００４１】
一般に、本発明による方法および装置は、発光環境に対して固体のＬＥＤベース光源を実質的に完全に後から適用することを可能にする；特に、本発明に従って、白熱光源の代替としてのＬＥＤベース光源の使用が、線間電圧から直接（例えばスイッチを介して）供給されるＡＣ電源に対してのみに限定されない；むしろ、本発明の方法および装置は、ＬＥＤベース光源を従来の任意の多くの（例えば白熱光）ソケットにおいて用いることを可能にし、これには、ＡＣ調光回路に結合されたもの、および／または標準線間電圧以外から信号を受信するものを含む。
【００４２】
種々の実施態様において、本発明によるＬＥＤベース発光ユニットまたは器具はコントローラを含むことができ、該コントローラは、調光回路から供給されるＡＣ信号を適切に調整して、発光ユニットの１個または２個以上のＬＥＤに電力を供給する（すなわち、「駆動する」）。該コントローラは、アナログ制御技法、パルス幅変調（ＰＷＭ）技法、または他の電力調整技法を含む種々の技法の任意のものを用いて、ＬＥＤ（単数または複数）を駆動することができる。本発明に必須の特性ではないが、幾つかの実施態様においては、ＬＥＤベース発光ユニットの回路は、種々の信号調整および／または光制御機能を実行するようプログラムされた、１個または２個以上のマイクロプロセッサを含むことができる。プロセッサベースまたは非プロセッサベース両方の種々の実現形態において、本発明によるＬＥＤベース発光ユニットは、生成された光の１個または２個以上のパラメータをユーザーの調光器の操作により調節することについての条件付または条件なしで、ＡＣ調光回路上で動作するように構成することができる。
【００４３】
より具体的には、１つの実施態様においては、ＬＥＤベース発光ユニットはコントローラを含み、該コントローラに供給される電力の少なくとも一部は、ＡＣ調光回路からもたらされた場合、調光器の動作の主要な範囲にわたって実質的に一定の値に調節され、それにより本質的に安定な電源を、発光ユニットに関連したコントローラおよび他の回路へ供給する。この実施態様の１つの観点において、コントローラはまた、調光回路により供給された調節可能な電力を監視するよう構成することもでき、それにより、発光ユニットが生成する光の１個または２個以上のパラメータを、調光器の動作に応答して調節することを可能にする。
【００４４】
特に、ＬＥＤベース光源が生成する光には数種類のパラメータがあり（例えば強度もしくは明るさ以外の、またはこれらに加えて）、これらは、本発明により、調光器の動作に応答して制御することができる。例えば、種々の実施態様において、ＬＥＤベース発光ユニットは、生成された光の１つまたは２つ以上の特性、例えば色（例えば、色相、彩度もしくは明るさ）、または白色光の相関する色温度、および時間的特性（例えば、色の変化の速度、または１つもしくは２以上の色のストロービング（strobing））などを、調光器の動作を介して調節できるよう、構成することもできる。
【００４５】
上に記載したように、１つの実施態様において、ＬＥＤベース発光ユニットは、１個または２個以上の記憶装置を含んだ１個または２個以上のプロセッサベースコントローラを含むことができ、これにより、調光器の動作を介した調節可能な光発生の上記または他の例を容易にする。特に、１つの実施態様において、かかる発光ユニットは、調光器の動作を介して、コントローラのメモリに格納された１つまたは２つ以上の発光プログラムを選択的に実行するよう構成可能である。かかる発光プログラムは、生成された光の例えば複数の色、色温度および強度などに関連した、種々の静的または時間変化的発光効果を提供することができる。この実施態様の１つの観点において、発光ユニットのプロセッサベースコントローラは、調光回路から供給されたＡＣ信号を監視し、特定の特性（例えば、調光信号に関連する特定の瞬間値、調光信号に関連する特定の時間平均値、調光器から供給された電力の所定時間の間の遮断、調光信号の特定の変化率等）を有する監視した調光信号の１または２以上の変化に基づき、異なるプログラムおよび／またはプログラムパラメータを選択するよう、構成することができる。新しいプログラムまたはパラメータの選択により、調光器をさらに操作して選択されたパラメータまたはプログラムが調節できる。
【００４６】
他の例の実施態様においては、本発明によるＬＥＤベース発光ユニットは、ＡＣ調光回路に結合し、生成する光の強度を増加または減少するように調光器を操作して従来の白熱光の発光特性を本質的に再生するよう、構成することができる。この実施態様における１つの観点においては、この模倣は、ＬＥＤベース光源が生成する光の強度と色を調光器の動作に応答して同時に変化させ、強度が変化するという白熱光源の可変発光特性を近似することにより達成できる。この実施態様における他の観点においては、かかる模倣は、調光回路から供給されるＡＣ信号を監視し、発行ユニットの異なる色のＬＥＤを調光回路の動作に応答してそれぞれ制御することで、発光ユニットが生成する光全体の色および強度の両方を同時に変化させるよう特にプログラムされたプロセッサベースのコントローラにより、容易に実施することができる。
【００４７】
本明細書中で議論される発光効果の多くは調光器互換制御に関連するが、幾つかの効果は本発明に従って他の制御システムを用いても生成することができる。例えば、ＬＥＤベース光源の色温度は、強度が低下すると低下するようプログラムすることができ、これらの発光変化は、本発明の種々の実施態様に従って、調光システム以外のシステム（例えば、無線通信、有線通信など）によっても制御することができる。
【００４８】
本発明の他の実施態様は、ＬＥＤベース光源および発光システムの販売、マーケティング、および宣伝の方法を目的としている。この方法は、従来のＡＣ調光器または調光システムと互換性のあるＬＥＤ発光システムの宣伝を含むことできる。この方法はまた、調光可能および調光不可能な発光制御システムの両方に互換性のあるＬＥＤ光の宣伝を含むことができる。
【００４９】
以下に、本発明によるＬＥＤベース発光に電力を供給するための方法および装置に関連する種々の概念ならびに実施態様をより詳細に記載する。上記および以下にさらに記載される、本発明の種々の態様は、多くの方法の任意のものによって実現可能であることが理解されるべきであり、本発明は特定の様式の実現形態に限定されるものではない。特定の実現形態の例は、例示目的としてのみ提供される。
【００５０】
２．非プロセッサベースの例示的実施態様
上述のように、種々の実施態様により、ＡＣ調光回路を介して操作されるＬＥＤベース光源は、マイクロプロセッサベース回路有りまたは無しで実装することができる。この節では、マイクロプロセッサまたはマイクロコントローラの支援のない調光回路により供給されるＡＣ信号を適切に調節するよう構成された回路を含む発光ユニットの、幾つかの例が示される。その後の節では、幾つかのプロセッサベースの例が議論される。
【００５１】
図３は、本発明の１つの実施態様による、ＬＥＤベース発光ユニット２００を示す。図示の目的のため、発光ユニット２００は一般に、スクリュー式のベースコネクタ２０２を有し機械的および電気的に従来の明かりのソケットにはめこまれる、従来の白熱電球に似せて図示されている。しかし、本発明はこれに限定されるものではないことが理解されるべきであり、なぜならば、他の実施態様により、他のハウジング形状および／またはコネクタ種類を含む、多くの他の形態が可能だからである。電源コネクタ形態の種々の例には、それに限定はされないが、スクリュー式コネクタ、ウェッジ式コネクタ、マルチピン式コネクタ等があり、従来の白熱光、ハロゲン、蛍光または高輝度放電（ＨＩＤ）式ソケットとの適合を容易にしている。かかるソケットは、次に、ＡＣ電源（例えば、線間電圧）に直接接続するか、あるいはスイッチおよび／または調光器を介してＡＣ電源に接続することができる。
【００５２】
図３の発光ユニット２００は、１個または２個以上のＬＥＤを有するＬＥＤベース光源１０４を含む。発光ユニットはまた、コネクタ２０２を介してＡＣ信号５００を受信し、ＬＥＤベース光源１０４に動作電力を供給するよう構成されたコントローラ２０４を含む。本実施態様の１つの観点により、コントローラ２０４は種々の構成要素を有し、発光ユニットがＡＣ信号５００に対して適切に動作することを保証するが、ここでＡＣ信号５００は、調光回路により、より具体的には、上述のようにデューティサイクル制御された（すなわち、位相角変調された）ＡＣ信号を出力する調光回路により、供給される。
【００５３】
最終的には、図３の実施態様により、コントローラ２０４は、整流器４０４、ローパス（すなわち、高周波数）フィルタ４０８およびＤＣ変換器４０２を含む。この実施態様の１つの観点において、ＡＣ信号５００を供給する調光器のユーザーによる調節にかかわらず、ＤＣ変換器４０２の出力は、ＬＥＤベース光源１０４に対し本質的に安定なＤＣ電圧を電力供給として供給する。より具体的には、この実施態様において、コントローラ２０４の種々の構成要素は、生成された光の調光器の動作に基づく調節なしに、調光回路上の発光ユニット２００の操作を容易にする；むしろ、図３の実施態様におけるコントローラ２０４の主要な機能は、ＡＣ調光回路からもたらされた電力に基づくＬＥＤベース光源に対し、損傷がないことを保証することである。
【００５４】
特に、本実施態様の１観点により、コントローラ２０４を操作するのに十分な電力を供給するＡＣ信号５００を調光回路が出力している限り、本質的に一定のＤＣ電力がＬＥＤベース光源に供給される。１つの実現形態において、調光回路は、ＬＥＤベース光源１０４による光の生成をもたらすのに十分な電力を供給する５０％「オン」（すなわち、導電性）までの低いデューティサイクルを有するＡＣ信号５００を出力することができる。さらに他の態様において、調光回路は、光源１０４に十分な電力を供給する２５％以下の「オン」までの低いデューティサイクルを有するＡＣ信号５００を供給することができる。この方法により、調光器の非常に広い範囲にわたるユーザー調節が、発光ユニット２００の光の出力に実質的な影響を与えない。ここでもまた、以上の例は第一に例示目的で提供されており、本発明はこれらに必ずしも限定されるものではない。
【００５５】
図４は、本発明の実施態様による、図３に示された種々の構成要素の幾つかの詳細を図示した回路図の例である。ここでも、図４に示された回路の主要な機能の１つは、従来のＡＣ調光回路を介して発光ユニット２００に供給されるＡＣ信号５００に基づく、ＬＥＤベース光源１０４の安全な操作を保証することである。図４に示すように、整流器４０４はダイオードブリッジ（Ｄ４７、Ｄ４８、Ｄ４９およびＤ５０）によって実現することができ、ローパスフィルタは図に示された種々の能動構成要素（キャパシタＣ２およびＣ３、インダクタＬ２、および抵抗器Ｒ４およびＲ６）により実現される。この実施態様において、ＤＣ変換器４０２は、Power Integrations, Inc., 5245 Hellyer Avenue, San Jose, California 95138 (www.powerint.com)により製造された集積回路モデル番号ＴＮＹ２６４／２６６を部分的に用いて実現され、ＬＥＤベース光源１０４に電力供給するために１６ＶＤＣ供給電圧を供給するよう構成される。
【００５６】
フィルタ（例えば、図４のローパスフィルタ）のパラメータは、コントローラ２０４の適切な動作を保証するのに非常に重要である。特に、フィルタのカットオフ周波数は、ＤＣ変換器のスイッチング周波数よりも大幅に小さくなくてはならないが、しかし通常のスイッチモード電力供給において用いられる代表的な数サイクルのカットオフ周波数よりは大幅に大きくなくてはならない。１つの実現形態によれば、制御回路の総入力キャパシタンスは、ＡＣ波形の各半サイクルの終わりにおいては、キャパシタにほとんどエネルギーが残っていない状態である。インダクタンスも同様に、ＤＣ変換器により生成された高い周波数成分を適切に分離して規制基準（特定の条件下では、この値はゼロでよい）を満たすよう、選択されねばならない。さらに他の実現形態においては、フィルタ構成要素の全体または一部をブリッジ整流器４０４の前に位置させることも有利となりえる。
【００５７】
図４の光源１０４は、任意の種々の色を有する１個または２個以上のＬＥＤ（図４において例えばＤ５２およびＤ５３のＬＥＤとして示されるように）を含むことができ、複数のＬＥＤは様々な直列または並列配置に構成することができる。さらに、ＬＥＤ光源１０４の特定の構成に基づき、１個または２個以上の抵抗器または他の構成要素は、ＬＥＤ光源１０４と直列および／または並列配置で用いることができ、光源をＤＣ供給電圧に適切に結合する。
【００５８】
本発明の他の実施態様により、ＬＥＤべース光源はＡＣ調光回路により安全に電力を供給されるばかりでなく、さらに、光源が生成する光の強度を、調光回路が供給するＡＣ信号を制御する調光器のユーザーによる操作を介して、調節することができる。図５は、図３に示す発光ユニットと同様の、調光回路を介した操作に好適な、発光ユニット２００Ａの他の例を示す。しかし図３の発光ユニットと異なり、図５の発光ユニット２００Ａは、調光器を介して制御される調節可能な光出力を有するように構成される。この結果、図５のコントローラ２０４Ａは、ＤＣ変換器４０２からの信号出力をさらに調節する付加的な調節回路２０８を含む。調節回路２０８は次に、ユーザーによる調光器の操作に応答したＡＣ信号５００の変化に基づき（例えば、信号の平均電圧の変化）、ＬＥＤベース光源１０４へ可変駆動信号を供給する。
【００５９】
図６は、本発明の１つの実施態様による、図５に示された種々の構成要素の幾つかの詳細を図示した回路図の例である。図６に示された多くの回路素子は、図４に示されたものと類似または同一である。図６では、付加的な調節回路２０８は、集積回路Ｕ１のフィードバックループにおける分圧器を形成する抵抗器Ｒ２およびＲ６により、部分的に実装されている。抵抗器Ｒ２およびＲ６の連結部で制御電圧４１０が引き出され、その制御電圧は、調光器の操作によるＡＣ信号５００の変化に応答して変化する。制御電圧４１０は、ダイオードＤ５を介して、抵抗器Ｒ１およびトランジスタＱ１により実装された電圧／電流変換器へ適用され、調光器のユーザーインターフェイスによる調節を追跡するＬＥＤベース光源へ、可変駆動電流を供給する。この方法により、光源１０４が生成する光の強度を、調光器動作の主要な範囲にわたり調光器を介して変化させることができる。もちろん、関連する回路へＡＣ信号５００がもはや適切な電力を供給することができないように調光器が調節された場合には、光源１０４は単に光の生成を止めることも、理解されるべきである。
【００６０】
図６の回路において、制御電圧４１０は本質的にフィルターされ、スケールされ、平均ＤＣ電圧の最大限定版がＤＣ変換器へ供給されることが、理解されるべきである。この回路は、ＤＣ変換器が、各半サイクル毎に実質的にキャパシタへ入力を放出することに依存している。実際にはこれは容易に達成でき、なぜならば、デバイスの出力が制御電圧より早く減少しない限り、コントローラへの入力電流はかなり一定値を保つか、または信号５００のデューティサイクルが減少するにつれて増加するからである。
【００６１】
３．プロセッサベースの例示的実施態様
本発明の他の実施態様により、ＡＣ調光回路を介して操作するのに好適なＬＥＤベース発光ユニットを、プロセッサベースコントローラを用いて実装することができる。以下に、プロセッサを含むＬＥＤベース発光ユニットの１実施態様を、かかる発光ユニットがいかにして、ＡＣ調光回路を介して操作するよう特に構成することができるかについての考察を含めて示す。例えば、かかるプロセッサベース発光ユニットは、マイクロプロセッサに加え、マイクロプロセッサに関連した１つまたは２つ以上の他の構成要素を含むことができ、および／またはそれからの信号を受信することができ、それにより従来のＡＣ調光器のユーザーによる調節に少なくとも部分的に基づいて、生成される光の制御を容易にすることができる。本発明による発光ユニットに一旦プロセッサベース制御スキームが実装されると、生成光の制御に対して実質的に無限数の構成が可能である。
【００６２】
図７は、本発明の１実施態様による、プロセッサベースコントローラ２０４Ｂを含む、ＬＥＤベース発光ユニット２００Ｂの一部を示す。図７と関連する、以下に記載のものと同様の、プロセッサ制御によるＬＥＤベース発光ユニットの種々の例を見出すことができ、例えば、Mueller et al.に２０００年１月１８日に発行された、米国特許第6,016,038号「複数色のＬＥＤ発光方法および装置（Multicolored LED Lighting Method and Apparatus）」、および、Lys et al.に２００１年４月３日に発行された、米国特許第6,211,626号「照明構成要素（Illumination Components）」などがあり、両者とも、本明細書に参照として組み込まれる。
【００６３】
１つの観点により、図７には明示的には示されていないが、発光ユニット２００Ｂは、図３および５に示される他の発光ユニットに類似して構成されたハウジング構造を含むこともできる（すなわち、従来のスクリュー式コネクタを有する白熱電球の代わりとして）。しかしここでも、本発明がこの点について限定されるものではないことが理解されるべきである。より一般的に、発光ユニット２００Ｂは、光源（単数または複数）、該光源を部分的または全体を包含するための筺体／ハウジング配置および形状、および／または電気的および機械的接続構成の、様々な搭載配置の任意の１つを用いて実装することができる。
【００６４】
図７に示すように、発光ユニット２００Ｂは、１つまたは２つ以上の光源１０４Ａ、１０４Ｂおよび１０４Ｃ（集合的に１０４と示す）を含み、ここで１つまたは２つ以上の光源は、１個または２個以上の発光ダイオード（ＬＥＤ）を含むＬＥＤベース光源でもよい。この実施態様の１観点においては、任意の２つまたは３つ以上の光源１０４Ａ、１０４Ｂおよび１０４Ｃは、異なる色（例えば、それぞれ赤、緑、および青）の放射を生成するよう適合することもできる。図７には３つの光源１０４Ａ、１０４Ｂおよび１０４Ｃが示されているが、発光ユニットはこの点について限定はされないことが理解されるべきであり、なぜならば、以下にさらに述べるように、本質的に白色光を含む、異なる数および様々な種類の光源（すべてＬＥＤベース光源、またはＬＥＤベース光源と非ＬＥＤベース光源の組み合わせ、等）が、種々の異なる色の放射を生成するよう適合されて、発光ユニット２００Ｂで用いることが可能であるからである。
【００６５】
図７に示すように、発光ユニット２００Ｂはまたプロセッサ１０２を含むことができ、該プロセッサ１０２は駆動回路１０９を制御するよう構成され、光源１０４Ａ、１０４Ｂおよび１０４Ｃを駆動して、光源から種々の強度の光を生成する。例えば、１つの実現形態においては、プロセッサ１０２は、駆動回路１０９を介して、少なくとも１つの制御信号を各光源に対して出力し、各光源が生成する光の強度を独立して制御するよう、構成することができる。光源を制御するためにプロセッサおよび駆動回路が生成することができる制御信号の幾つかの例は、それに限定はされないが、パルス変調信号、パルス幅変調信号（ＰＷＭ）、パルス振幅変調信号（ＰＡＭ）、パルスコード変調信号（ＰＣＭ）、アナログ制御信号（例えば、電流制御信号、電圧制御信号）、前述の信号または他の制御信号の組み合わせおよび／または変調を含む。
【００６６】
発光ユニット２００Ｂの１つの実現形態において、図７に示す１つまたは２つ以上の光源１０４Ａ、１０４Ｂおよび１０４Ｃは、プロセッサ１０２によって共に制御される、複数ＬＥＤまたは他の種類の光源の群（例えば、複数ＬＥＤまたは他の種類の光源の種々の平行および／または直接接続）を含むことができる。さらに、１つまたは２つ以上の光源１０４Ａ、１０４Ｂおよび１０４Ｃは、任意の種々のスペクトル（すなわち、波長または波長域）を有する放射を生成するよう適合された１個または２個以上のＬＥＤを含むことができ、これらは、それに限定はされないが、種々の可視の色（本質的に白色光を含む）、および、白色光、紫外線または赤外線の種々の色温度を含む。種々のスペクトル帯域幅を有するＬＥＤ（例えば、狭帯域、広帯域）を、発光ユニット２００Ｂの種々の実装に用いることができる。
【００６７】
図７に示す発光ユニット２００Ｂの他の態様において、発光ユニットは、広い範囲の可変色の放射を生成するよう構成および配置することができる。例えば、発光ユニット２００Ｂは、２つまたは３つ以上の光源により生成されたプロセッサ制御の可変強度の光を組み合わせて、混合色の光（種々の色温度を有する、本質的に白色光を含む）を生成するよう、特に配置することができる。特に、混合色の光の色（または色温度）は、１つまたは２つ以上の光源のそれぞれの強度を変化させることにより（例えば、プロセッサおよび駆動回路による１つまたは２つ以上の信号出力に応答して）、変えることができる。さらに、プロセッサ１０２は、１つまたは２つ以上の光源に対して制御信号を供給し、静的なまたは時間変化する（動的な）複数色（また複数色温度）の発光効果を生成するよう、特に構成する（例えば、プログラムする）ことができる。
【００６８】
従って発光ユニット２００Ｂは、広い範囲の色のＬＥＤを種々の組み合わせで含むことができ、例えば、２個または３個以上の赤、緑、および青色ＬＥＤにより色混合を生成すること、また、１個または２個以上の他のＬＥＤにより白色光の変化する色および色温度を生成することを含む。例えば、ＬＥＤの赤、緑および青は、琥珀、白、ＵＶ、オレンジ、ＩＲまたは他の色と混合することができる。発光ユニット２００Ｂにおける、異なる色のＬＥＤのかかる組み合わせは、発光状態の所望のスペクトルのホストの正確な再現を容易にすることができ、これらの例としては、それに限定はされないが、１日の異なる時刻における、様々な戸外の日光の同等物、種々の屋内の発光条件、複雑な複数色の背景を模擬する発光条件などが含まれる。他の望ましい発光条件は、ある環境において特定的に吸収され、減衰され、または反射され得る特定のスペクトルを除去することにより、生成可能である。
【００６９】
図７に示すように、発光ユニット２００Ｂはまた、種々の情報を格納するメモリ１１４を含むことができる。例えば、メモリ１１４は、プロセッサ１０２によって実行される１つまたは２つ以上の発光プログラム（例えば、光源に対して１つまたは２つ以上の制御信号を生成するため）を格納するのに用いることができ、また、可変色の放射を生成するのに有用な様々な種類のデータ（例えば、校正用情報）を格納するのに用いることができる。メモリ１１４はまた、発光ユニット２０Ｂを識別するために、局所的またはシステム全体で使用可能な、１つまたは２つ以上の特定の識別子（例えば、通し番号、アドレスなど）を格納することができる。種々の実施態様において、かかる識別子は、例えば製造者により予めプログラムされることもでき、また、以後に変更可能であっても変更不可能であってもよい（例えば、発光ユニットに設置されたある種類のユーザーインタフェイスを介して、発光ユニットが受信した１つまたは２つ以上のデータまたは制御信号を介して）。代替的に、かかる識別子は、発光ユニットを現場で最初に使用するときに決定することもでき、ここでも同様に、以後変更可能または変更不可能のどちらでもよい。
【００７０】
図７にも示すように、他の観点において、発光ユニット２００Ｂは、ユーザーにより選択可能な多数の設定または機能（例えば、発光ユニット２００Ｂの光出力を一般的に制御すること、発光ユニットが生成すべき、予めプログラムされた種々の発光効果を変更することおよび／または選択すること、選択された発光効果の種々のパラメータを変更および／または選択すること、発光ユニットのアドレスまたは通し番号などの特定の識別子を設定すること、など）の任意のものを容易にするために供給されるユーザーインタフェイス信号１１８を受信するように、随意的に構成することができる。以下にさらに述べる本発明の１つの実施態様により、ユーザーインタフェイス信号１１８は、調光回路および／またはＡＣ電力回路上の他の制御信号（単数または複数）により供給されるＡＣ信号から生成されてもよく、そのため光源１０４が生成する光は、調光器の動作に応答して、および／または他の制御信号（単数または複数）に応答して、制御することができる。
【００７１】
より一般的には、図７に示す実施態様の１観点において、発光ユニット２００Ｂのプロセッサ１０２は、ユーザーインタフェイス信号１１８を監視し、少なくとも部分的にユーザーインタフェイス信号に基づいて、１つまたは２つ以上の光源１０４Ａ、１０４Ｂおよび１０４Ｃを制御するよう、構成される。例えば、プロセッサ１０２は、１つまたは２つ以上の制御信号を（例えば、駆動回路１０９を介して）発生することによりユーザーインタフェイス信号に応答し、１つまたは２つ以上の光源を制御するよう構成することができる。代替的にプロセッサ１０２は、予めプログラムされメモリに格納された１つまたは２つ以上の制御信号を選択することにより、発光プログラムの実行により、生成された制御信号を改変することにより、メモリから新しい発光プログラムを選択して実行することにより、またはそうでなければ、１つまたは２つ以上の光源が生成した放射に影響を与えることにより、応答するよう、構成することができる。
【００７２】
最終的に、プロセッサ１０２は、ユーザーインターフェイス信号１１８の数種類の「評価」基準の任意の１つまたは２つ以上を用いて、ユーザーインターフェイス信号に応答して１つまたは２つ以上の機能を実行するよう、構成することができる。例えば、プロセッサ１０２は、ユーザーインターフェイス信号の特定の瞬間値、ユーザーインターフェイス信号のある特性の変化、ユーザーインターフェイス信号のある特性の変化率、ユーザーインターフェイス信号のある特性の時間平均値、特定の持続時間を有するユーザーインターフェイス信号の周期的パターンまたは中断、ＡＣユーザーインターフェイス信号のゼロ交差、などに基づきある行動を取るよう、構成することができる。
【００７３】
１つの実施態様において、プロセッサは、ユーザーインターフェイス信号１１８をデジタル的にサンプルし、該サンプルを予め決定された基準に従って処理し、１つまたは２つ以上の機能を実行すべきかどうかを決定するよう、構成される。さらに他の実施態様において、プロセッサ１０２に関連したメモリ１１４は、ユーザーインターフェイス信号に関連する値の、ＬＥＤベース光源１０４を制御するために用いられる種々の制御信号用の値へのマッピング（例えば、ユーザーインターフェイス信号に関連した特定の値または条件は、光源における異なる色のＬＥＤへそれぞれ適用されるＰＷＭ信号の特定のデューティサイクルに対応することができる）を提供する、１つまたは２つ以上の表、またはより一般的に、データベースを含むことができる。この方法により、広い範囲の発光制御機能が、ユーザーインターフェイス信号に基づいて実行可能である。
【００７４】
図７はまた、発光ユニット２００Ｂが、１つまたは２つ以上の他の信号源１２４からの１つまたは２つ以上の信号１２２を受信するよう構成できることを示す。１つの実現形態において、発光ユニットのプロセッサ１０２は、信号（単数または複数）１２２を、単独で、または他の制御信号（例えば、発光プログラムの実行により生成された信号、ユーザーインターフェイス信号など）と組み合わせて、用いることができ、１つまたは２つ以上の光源１０４Ａ、１０４Ｂおよび１０４Ｃを、ユーザーインターフェイスとの関連で上に述べたのと同様の方法で制御する。図７の発光ユニット２００Ｂで用いることのできる、またはそれとの関連で用いることのできる、信号源１２４の幾つかの例には、ある刺激に応答して１つまたは２つ以上の信号を生成する種々のセンサーまたはトランスデューサの任意のものを含む。かかるセンサーの例は、それらに限定はしないが、種々の種類の環境状態センサー、例えば熱を感知するセンサー（例えば温度、赤外線）、湿度センサー、モーションセンサー、光センサー（photosensor）／発光センサー（例えば、電磁放射の１つまたは２つ以上の特定のスペクトルを感知するセンサー）、種々のタイプのカメラ、音もしくは振動センサー、または他の圧力／力トランスデューサ（例えば、マイクロホン、圧電デバイス）などを含む。
【００７５】
図７にさらに示すように、発光ユニット２００Ｂは、１個または２個以上の通信ポート１２０を含み、発光ユニットの任意の種々の他のデバイスとの結合を容易にすることができる。例えば、１個または２個以上の通信ポート１２０は、複数の発光ユニットをネットワーク型発光システムとして結合することを容易にすることができ、ここで、少なくとも発光ユニットの幾つかはアドレス可能であり（例えば、特定の識別子またはアドレスを有する）、ネットワーク全体を移送される特定のデータに応答する。
【００７６】
特に、ネットワーク型発光システム環境において、データがネットワークを介して通信された場合、ネットワークに結合された各発光ユニットのプロセッサ１０２は、それに関連する特定のデータ（例えば、発光制御コマンド）に応答するよう構成することができる（あるケースにおいては、ネットワーク型発光ユニットのそれぞれの識別子により指示されて）。特定のプロセッサが意図された特定のデータを識別すると、該プロセッサはデータを読み出し、そして例えば、受領したデータに従ってその光源が生成する発光条件を変更する（例えば、光源に対して適当な制御信号を生成することにより）。１つの観点において、ネットワークに結合された各発光ユニットのメモリ１１４には、例えばプロセッサ１０２が受領したデータに対応する発光制御信号の表をロードすることができる。プロセッサ１０２が一旦ネットワークからデータを受領すると、プロセッサは該表を参照して、受領したデータに対応する制御信号を選択し、それによって発光ユニットの光源を制御する。
【００７７】
この実施態様の１観点において、ある発光ユニットのプロセッサ１０２は、ネットワークへの結合の有無に関わらず、ＤＭＸプロトコル（例えば、米国特許第6,016,038号および第6,211,626号に記述されている）において受信した発光指示／データを解釈するよう構成することもでき、ＤＭＸプロトコルは、幾つかのプログラム可能な発光用途に対し発光産業において従来用いられている、発光コマンドプロトコルである。しかし、本発明の目的に好適な発光ユニットは、この点に関して限定されないことを理解すべきであり、なぜならば、種々の実施態様による発光ユニットは、他の種類の通信プロトコルにも反応してそれぞれの光源を制御するよう構成することができるからである。
【００７８】
図７の発光ユニット２００Ｂはまた、ＡＣ信号５００（例えば、線間電圧、調光回路により供給される信号など）に基づき発光ユニットに電力を供給するよう構成された電力回路１０８を含む。発光ユニット２００Ｂの１実施態様において、電力回路１０８は、例えば、図４および６に示す回路の一部と類似して構成することができる。特に、図８は、発光ユニット２００Ｂの１実現形態において用いることのできる、図４および６に示す幾つかの素子に基づく電力回路１０８の回路配置の例を図示している。図８に示す回路において、５ＶのＤＣ出力９００が少なくともプロセッサ１０２に供給され、一方１６ＶのＤＣ出力９０２が駆動回路１０９に供給され、駆動回路１０９は最終的にはＬＥＤベース光源１０４へ電力を供給する。図４および６に示す回路と同様、ＡＣ信号５００により供給される電力全体が、例えば調光器の操作により減少されると、ある時点において電力回路１０８は発光ユニット２００Ｂの種々の構成要素に対して十分な電力を供給することができなくなり、発光ユニットは光の発生を中止する。それにも関わらず、１つの観点において、電力回路１０８は、調光器動作の主要な範囲にわたって発光ユニットに対して十分な電力を供給するよう、構成される。
【００７９】
本発明の他の実施態様により、図８に示す電力回路１０８は、調光器の動作に応答したＡＣ信号５００の変化（例えば、平均電圧の変化）を反映する制御信号も供給するよう、改変することができる。例えば、図８に示す回路は、制御電圧４１０を供給する図６の調節回路２０８（例えば、光遮断フィードバックループにおける抵抗分割ネットワーク（resistor divider network））に関連するものと類似の付加的な構成要素を含むよう、改変することができる。図８の回路から同様に生成される制御信号は、図７の点線４１０Ｂにより示すように、プロセッサ１０２に適用されるユーザーインターフェイス信号１１８として働く。他の実施態様において、図８の回路は、例えば整流器またはローパスフィルタからの出力などの、回路の他の部分からの制御／ユーザーインターフェイス信号を引き出すよう、改変することができる。
【００８０】
さらに他の実施態様において、プロセッサ１０２に供給されるユーザーインターフェイス信号１１８は、図７の接続線５００Ｂにより示されるように、ＡＣ信号５００それ自体であってもよい。この実施態様において、プロセッサ１０２は、ＡＣ信号５００をデジタル的にサンプルし、ＡＣ信号の１つまたは２つ以上の特性における変化（例えば、振幅変化、位相角変調の度合いなど）を検出するよう特にプログラムすることができる。この方法において、調光器の動作によるＡＣ信号５００の平均電圧に基づき引き出される制御信号に応答するよりも、プロセッサは、「より直接に」、ＡＣ調光出力信号のある特性（例えば位相角変調の度合い）を監視することにより調光器の動作に応答することができる。当業者には多数の技法が明らかであり、それらの幾つかは、ユーザーインターフェイス信号１１８との関連で上に記載されており、ＡＣ信号５００をサンプルし処理するために、プロセッサにより同様に実装することができる。
【００８１】
調光器の動作を示すユーザーインターフェイス信号１１８が、上記の任意の技法（または他の技法）を用いて一旦引き出されると、プロセッサ１０２は、調光器のユーザー調節に基づき実質的に無限の光制御機能の任意のものを実装するよう、プログラムすることができる。例えば、調光器のユーザー調節により、プロセッサが、発光ユニット２００Ｂによって生成される光の強度、色、相関する色温度、または時間的品質の１つまたは２つ以上を変化させることが可能になる。
【００８２】
前述をさらに特定的に示すために、メモリ１１４に格納された２つの発光プログラムにより構成された発光ユニット２００Ｂを考える；第１の発光プログラムは、調光器動作に応答して、生成する光の全体の色を調節するよう構成され、第２の発光プログラムは、生成する光の全体の強度を、調光器動作に応答して一定の色において調節するよう構成される。さらにプロセッサは、特定の種類の調光器の動作が２つのプログラムを切り替え、また、初期起動時において、２つのプログラムの１つ（例えば第１プログラム）が初期設定として自動的に実行されるよう、プログラムされる。
【００８３】
この例において、起動時、第１プログラム（例えば調節可能な色）の実行が始まり、ユーザーは、調光器のユーザーインタフェイスを、「正常」な様式で一定範囲で調節する（例えば、調光器のユーザーインタフェイスのゆっくりした調節により赤から青へと虹の多色を通して色を変化させる）ことで、生成された光の全体の色を変化させることができる。
【００８４】
一旦所望の色になったら、ユーザーは次に、第２プログラム（例えば、強度の調節）を選択し、調光器のユーザーインタフェイスを特定の所定の方法（例えば、調光器に組み込まれたオン／オフスイッチを介して電力を所定期間、瞬間的に遮断すること、調光器のユーザーインタフェイスを素早い速度で調節すること、など）で操作することにより、実行する。ユーザーインタフェイス信号の概念との関連で上に記載したように、調光器動作を評価し、新しいプログラムの選択が望ましいかどうかを決定し、または、現在実行しているプログラムの調整が望ましいかどうかを決定するために、任意数の基準を用いることができる。ユーザーインタフェイスを介したプログラムまたはモードの選択の種々の例、および、選択されたプログラムまたはモード内でのパラメータ調節については、米国非仮出願第09/805,368号および第10/045,629号に記載されており、これらは本明細書に、参照として組み込まれる。
【００８５】
この例においては、一旦第２プログラムの実行が始まると、ユーザーは生成される光の強度を（前もって調節された色において）、調光器のユーザーインターフェイスのその後の「正常な」操作（例えば、ゆっくりと調節すること）により変えることができる。前記の例示的な手順を使用することにより、ユーザーは、発光ユニットが発光する光の強度および色の両方を従来のＡＣ調光器を介して調節することができる。
【００８６】
前述の例は、主として例示目的で提供されたものであり、本発明はこれらの点において限定されないことが理解されるべきである。一般に、本発明の種々の実施態様により、生成された光に関連する複数のパラメータを、順番に、または組み合わせて同時に、変更することができる。また、発光プログラムの選択および実行を介して、生成された光の時間的特性もまた調節できる（例えば、特定の色のストロービング率、色のレインボーウォッシュ（rainbow wash）の変化率など）。
【００８７】
例えば、１実施態様において、ＡＣ調光回路に結合されたＬＥＤベース光源は、生成される光の強度を増加または減少させるよう調光器を操作して、従来の白熱光の発光特性を本質的に再現するよう、構成することができる。この実施態様の１観点において、このような模倣は、調光器動作を介してＬＥＤベース光源が生成する光の強度および色を同時に変化させることにより、達成することができる。
【００８８】
より具体的には、従来の白熱光源においては、発光の色温度は一般に、光源が消費する電力が減少すると低下する（例えば、低い強度レベルにおいては、生成される光の相関色温度は２０００°Ｋ付近であり、一方、より高い強度における光の相関色温度は３２００°Ｋ近い）。これが、光源への電力が低下するにつれて白熱光がより赤く見えることの理由である。従って、１実施態様において、ＬＥＤベース発光ユニットは、単一の調光器の調節を光源の強度と色の両方を同時に変化させるのに用いて、それにより、より高い強度（例えば、調光器が本質的に「フル」電力を供給する場合）において比較的高い相関する色温度を生成し、より低い強度において低い相関色温度を生成し、それにより白熱光源を模擬するよう、構成することができる。
【００８９】
本発明の他の実施態様は、火炎シミュレーション制御システムまたは他のシミュレーション制御システムを目的としている。このシステムは、火炎効果またはそのシミュレーションを作り出すよう配置されたＬＥＤベース光源または発光ユニットを含むことができる。かかる火炎シミュレーションシステムは、より従来の火炎シミュレーションシステム（例えば、白熱光またはネオン）の代替として用いることができる。火炎シミュレーション発光デバイスは、シミュレーションをよりリアルにするために、生成される光の見かけを変えて、火炎を通して吹く風やランダムなちらつき効果をシミュレートするように構成する（例えば、発光プログラムを含む）ことができる。かかるシミュレーションシステムは、効果を制御するためにユーザーインターフェイスと関連させることができ、また、ＡＣ調光回路（例えば、調光制御システムを、シミュレーションシステムの効果を変化させるために用いてもよい）を介して使用および／または制御するのに適合するよう構成することができる。他の実現形態においては、ユーザーインタフェイスは、有線または無線通信を通してシミュレーションデバイスと通信することができ、ユーザーは、ユーザーインタフェイスを介してデバイスの効果を変更することができる。シミュレーションデバイスは、風の状態、静止状態、中庸状態をシミュレートするために、変化率、高度、色、ちらつき率に対して変更可能な効果、または他の任意の所望な変更を含むことができる。
【００９０】
多くの発光制御システムは、調光効果および他の変化する発光効果が望まれる場所において、調光回路を含まない。従って、本発明のさらに他の実施態様は、無線制御システムを含む発光効果制御システムを目的としている。この実施態様により、ＬＥＤベース光源または発光ユニットは、無線通信を受信し、発光システムにおいて発光変化の効果を示すよう、適合することができる（例えば、図７の通信リンク１２０との関連を参照）。無線送信機は、発光システムが生成する発光効果をユーザーが変更するために用いることができる。１つの実現形態において、送信機は、制御システムの電源スイッチと関連する。例えば、電源スイッチは壁取り付け式電源スイッチであってもよく、ユーザーインターフェイスは、壁取り付け式スイッチと関連することができる。ユーザーインターフェイスは、発光システムに伝送されて発光に変化をもたらす無線通信信号を生成するために用いることができる。他の実施態様において、信号は電力線を通って多重化様式で発光システムへ伝送され、そこで光は電力からのデータをデコードする。
【００９１】
本発明のさらに他の実施態様は、１個または２個以上の発光デバイス、および標準ＡＣ線間電圧を介して典型的に電力供給される他のデバイスへ、線間電圧のデューティサイクルの一部を用いて制御情報を通信するための方法および装置を目的としている。例えば、１実施態様により、供給電圧コントローラは、標準ＡＣ線間電圧を入力として受領し、制御情報を含む電力信号を出力として供給する。電力信号は、本質的に一定のＡＣ電源を供給する；しかし、この実施態様の１観点により、該信号は周期的に「中断」されて（例えば、周期のある期間にわたってＡＣデューティサイクルの一部が取り除かれる）、１つまたは２つ以上の通信チャネルに供給され、その間、制御情報（例えば、デジタル的にコード化された情報）が、電力信号に結合された１個または２個以上のデバイスへ伝送される。電力信号に結合されたデバイス（単数または複数）は、かかる制御情報に対して何らかの方法で応答するよう、特別に構成することができる。
【００９２】
例えば、本明細書に開示された種々のＬＥＤベース発光ユニットは、標準ＡＣ線間電圧から、ＡＣ調光回路（例えば、位相角変調電源を供給する）から、またはＡＣ線間電圧に関連する他の制御信号が存在できる電源から、ＬＥＤベース光源に対して電力を供給する能力を有しており、また上記の電源信号と互換性を有し、通信チャネルを通して伝送された制御情報に応答するするよう、特別に構成可能であることが、理解されるべきである。
【００９３】
この実施態様の１観点により、上記のように電力信号を供給する供給電圧コントローラを、コントローラのユーザー操作を容易にする任意の数の特徴（例えば、ボタン、ダイアル、スライダーなど）を含んで、プロセッサベースユーザーインタフェイスとして実装することができる。特に、１つの実現形態において、供給電圧コントローラは従来の調光器に似せて（例えば、ユーザーインタフェイスとしてノブまたはスライダーを有して）実装することができ、ここで、関連するプロセッサは、ユーザーインタフェイスの動作を監視し、かかる動作に応答して制御情報を生成するよう、特にプログラムされる。プロセッサはまた、上記のように、１つまたは２つ以上の電力信号の通信チャネルを介して制御信号を伝送するよう、プログラムされる。
【００９４】
この実施態様の他の観点において、Ｘ１０などの現在利用可能なホームコントロールネットワーク／システムとは異なり、本質的に電力信号により制御されるデバイス（単数または複数）は、プログラミングまたはデバイス（単数または複数）に割り当てられたアドレスによるというよりは、電力信号を供給する電気線によって定義される。さらに、他の「制御不可能」デバイス（すなわち、電力信号上に伝送される制御情報に応答するように構成されていないもの）は、いかなる悪影響もなく電力信号に結合することができ、同一の電力回路上（すなわち、回路上の全デバイスに同じ電力信号を伝送する）での制御可能および制御不可能デバイスの混合を可能にする。さらに、異なる配線領域（すなわち、異なる電力回路上）のデバイスは、特定の電力回路上の電力信号に妨害されないこと、またはそれに応答しないことが、トポロジーを通して保証される。さらに他の観点において、この実施態様の電力信号は、Ｘ１０などの他のプロトコルに対して本質的に「透明」である（すなわち、侵害しない）。
【００９５】
特定の電力回路上で上記のように電力信号を供給する供給電圧コントローラに基づく、１つの例示的実現形態において、電力回路に多数の発光デバイス（例えば、従来の発光デバイス、ＬＥＤベース発光ユニットなど）を結合でき、それらが電力回路上を伝送される任意の制御信号に対し本質的に非応答であるように構成することができる。例えば、「非応答」発光デバイスは、従来の白熱光源または、通信チャネルを含まない電力信号の一部を介して電力を受領する他のデバイスであってよい。これらの発光デバイスは、特定の環境において、環境中の一般の照明を提供するよう、役割を果たすことができる。
【００９６】
この例における非応答発光デバイスに加えて、１個または２個以上の制御可能な他の発光デバイス（例えば、特に構成されたＬＥＤベース発光ユニット）もまた、同一の電力回路に結合でき、電力信号の通信チャネルの制御情報に応答するよう（すなわち、供給電圧コントローラのユーザーによる操作に応答するよう）、構成することができる。この方法により、制御可能な発光デバイス（単数または複数）は、様々な種類のアクセント／特別効果の発光を、同じ電力回路上の他の「非応答」デバイスが供給する一般の照明を補完するものとして提供することができる。
【００９７】
４．駆動回路の例示的実施態様
図７を再び参照して、発光ユニット２００Ｂの駆動回路１０９は、多数の方法により実装することができ、その１つは、１つまたは２つ以上の光源１０４Ａ、１０４Ｂおよび１０４Ｃにそれぞれ対応する１個または２個以上の電流ドライバ（current driver）を用いる。特に、１つの実施態様により、駆動回路１０９は、各異なる色の光源が電圧／電流変換器と関連するよう構成され、ここで該電圧／電流変換器は、プロセッサ１０２からの電圧制御信号（例えば、デジタルＰＷＭ信号）を受信し、対応する電流を供給して光源を作動する。かかる駆動回路は、ＡＣ調光回路を介して動作するよう特に構成された発光ユニットの実現形態に限定はされない；より一般的に、発光ユニット２００Ｂに類似し、様々な種類の電源（例えば、ＡＣ線間電圧、ＡＣ調光回路、ＤＣ電源）と共に用いるよう構成された発光ユニットは、１個または２個以上の電圧／電流変換器を含む駆動回路を使用することができる。
【００９８】
図９は、従来の電圧／電流変換器を用いた駆動回路１０９の一部の１例で、「電流シンク（current sink）」９１０とも呼ばれるものを示す。図９に示すように、電流シンク９１０は、デジタル入力制御信号をプロセッサ１０２から受信し、光源１０４Ａを駆動する電流ＩＡを供給する。１つの態様により、複数の光源が発光ユニットに含まれること、そして駆動回路１０９は、各光源について図９に示すものと類似の回路を含むことが、理解されるべきである（ここで、プロセッサは各電流シンクに対して１つの制御信号を提供する）。
【００９９】
図９に示す電流シンク１０９は、種々の用途において電流の制御に広く用いられており、多くのよく知られているテキスト（例えば、Intuitive IC OPAMPS, Thomas M. Frederiksen, 1984, pages 186-189を参照のこと）に記載されている。図９のオペアンプベース電流シンクは、ノード「Ａ」（すなわち抵抗器Ｒ６を横切って）における電圧とノード「Ｃ」（オペアンプＵ１Ａの非反転入力において）における「参照」電圧を、同一の値に維持するよう機能する。この方法により、光源電流ＩＡは、プロセッサ１０２が供給するデジタル制御信号に関連付けられる（すなわち、追跡（track）する）。
【０１００】
図９の点「Ｃ」における参照電圧は、種々の方法により作り出すことができ、上で参照したFrederiksenのテキストでは、抵抗分割器（例えばＲ２およびＲ５）がこの電圧を作り出すよい方法であると示唆している。一般に、参照電圧は、回路設計者により妥協の結果選択される；一方で電圧は、電流シンクの負荷電圧（burden voltage）（すなわち、電流ＩＡを維持できる最低電圧）を下げるためにできる限り低くすべきである。その一方で、参照電圧を下げることは、種々の源による回路誤差を増加させ、この源には、１）オペアンプのオフセット電圧；２）オペアンプの入力バイアス電流における差；３）低値抵抗器の低い許容値；および、４）構成要素の相互接続にわたる電圧降下による、小さい電圧の感知における誤差、を含む。参照電圧の低下はまた、回路のスピードを減少させるが、これは、オペアンプへのフィードバックが減少するからである。この状況はまた、回路に不安定さをもたらし得る。
【０１０１】
図９の点「Ｃ」における参照電圧は一定である必要はなく、異なる電流を生成するために任意の所望の電圧値の間を切り替えてよい。特に、パルス幅変調（ＰＷＭ）デジタル制御電圧を、プロセッサ１０２から回路へ適用することができ、切り替え電流ＩＡを生成する。抵抗器Ｒ２およびＲ５により形成される電圧分割器のための抵抗値を注意深く選択することにより、種々の回路の目的を達成でき、それには、オペアンプバイアス電流のマッチングが含まれる。
【０１０２】
図９に示す回路の１つの問題点は、プロセッサからのデジタル制御信号が存在しないか、オフである（すなわち、０Ｖである）場合、オペアンプＵ１Ａは、トランジスタＭ１を完全にはオフにしない可能性があることである。その結果、光源をオフにすることを意図している場合にも、いくらかの電流ＩＡが光源１０４Ａを流れる。上記の観点から、本発明の１態様は、光源のより正確な制御を保証する、改善された電流シンク設計が組み込まれたＬＥＤベース光源のための駆動回路を目的としている。
【０１０３】
図１０は、本発明の１態様による、かかる改善された電流シンク９１０Ａの１例を示す。電流シンク９１０Ａは、ノード「Ｂ」（すなわち、オペアンプＵ１Ａの反転入力）において、抵抗器Ｒ４およびＲ１の使用により、既知の「誤差電圧」が存在するように構成される。特に、抵抗器Ｒ４およびＲ１の値は、ノード「Ｂ」における電圧が図９に示す配置と比較して僅かに増加するよう選択する。その結果、ノード「Ｃ」における参照電圧が０（すなわち、デジタル制御信号を、電源１０４Ａをオフにすることを意図した場合のようにする）の場合、ノード「Ｂ」における電圧は、ノード「Ｃ」における電圧より僅かに高い。この電圧差は、オペアンプがその出力を低めるよう働き、従って、トランジスタＭ１を「オフ」領域に入れ、任意の不注意な電流ＩＡの流れを回避する。
【０１０４】
ノード「Ｂ」に導入された小さい既知の誤差電圧は、必ずしも電流誤差の任意の増加をもたらさない。１つの態様において、抵抗器Ｒ２およびＲ５の値は、誤差電圧の効果を補償するよう調節することができる。例えば、抵抗器Ｒ４およびＲ１は、ノード「Ｃ」が０Ｖの場合（従ってオペアンプが「オフ」状態）、ノード「Ｂ」において２０ｍＶとなるように選択することができる。「オン」状態においては、回路は、ノード「Ａ」（抵抗器Ｒ６を横切って）において約５ｍＶのセンス電圧（sense voltage）が存在するよう、構成することができる。誤差電圧は、所望のセンス抵抗器電圧に付加され、抵抗器Ｒ２およびＲ５の値は、ノード「Ｃ」での参照電圧が、「オン」状態を示唆するデジタル制御信号の存在のもとで２５ｍＶとなるよう、適切に選択される。１つの態様において、回路は、出力電流ＩＡおよびノード「Ａ」におけるセンス電圧が最小値よりはるかに高くなるよう、構成することができ、これは種々の理由によるが、しかし最も顕著には、センス電圧を３００〜７００ｍＶ範囲に増加した場合に、１％の精度を達成するため低コストオペアンプを用いることができるためである。
【０１０５】
図１１は、電流シンク９１０Ｂのさらに他の態様を示し、ここで、幾つかの付加的構成要素が図１０の回路に加えられ、回路のスピードおよび電流容量を増加させている。特にトランジスタＭ１のサイズをより大きな電流側へと増加させた場合、キャパシタＣ１および抵抗器Ｒ３を、Ｍ１の大きいキャパシタンスを補償するために加えてもよい。このキャパシタンスは、オペアンプに対するより大きな負荷をもたらし、多くのオペアンプの設計に対して、これは不安定性をもたらす。抵抗器Ｒ３は、Ｍ１がもたらす見かけの負荷を低下させ、Ｃ１は、オペアンプに対する高周波数フィードバックパスを提供し、これによりＭ１をバイパスする。この態様の１観点において、ノード「Ｂ」および「Ｃ」における回路のインピーダンスはマッチしており、オペアンプのバイアス電流効果を減少させる。他の態様において、このマッチングは新しいＦＥＴ入力オペアンプを用いることにより回避することができる。
【０１０６】
本発明の幾つかの図示的実施態様について上に記載したため、当業者は容易に、種々の変更、改変、および改善を思いつく。かかる変更、改変、および改善は、本発明の精神および範囲に包含されることが意図される。本明細書に示された幾つかの例は、機能または構造要素の特定の組み合わせに関連するが、これらの機能および要素は、本発明に従って他の方法により組み合わせることができ、同じかまたは異なる目的を達成することが理解されるべきである。特に、１つの態様との関連で述べられた行為、要素および特性は、他の態様における同様または他の役割から排除されることは意図されていない。従って、上の記述は例示のみのためであり、限定を意図していない。
【図面の簡単な説明】
【０１０７】
【図１】従来のＡＣ調光デバイスの例示的な動作を示す。
【図２】ＡＣ線間電圧からＬＥＤベース光源へ電力を供給するための従来の実装である。
【図３】本発明の１態様による、ＬＥＤベース光源を含む発光ユニットである。
【図４】本発明の１態様による、図３の発光ユニットの種々の構成要素を示す回路図である。
【図５】本発明の他の態様による、ＬＥＤベース光源を含む発光ユニットである。
【図６】本発明の１態様による、図５の発光ユニットの種々の構成要素を示す回路図である。
【図７】本発明の他の態様による、ＬＥＤベース光源を含むプロセッサベース発光ユニットのブロック図である。
【図８】図７の発光ユニットのための電力回路の種々の構成要素を示す回路図である。
【図９】本発明の１態様による、ＬＥＤベース光源のための駆動回路に用いられた従来の電流シンクを示す回路図である。
【図１０】本発明の１態様による、改善された電流シンクを示す回路図である。
【図１１】本発明の他の態様による、改善された電流シンクを示す回路図である。
【図１】
2005524960.tif 000003
【図２】
2005524960.tif 000004
【図３】
2005524960.tif 000005
【図４】
2005524960.tif 000006
【図５】
2005524960.tif 000007
【図６】
2005524960.tif 000008
【図７】
2005524960.tif 000009
【図８】
2005524960.tif 000010
【図９】
2005524960.tif 000011
【図１０】
2005524960.tif 000012
【図１１】
2005524960.tif 000013
【国際調査報告】
2005524960.tif 000014
2005524960.tif 000015